(57)【特許請求の範囲】
【請求項１】
ワイヤレス通信のための装置において、
第１の電力を有する第１の信号を、第１の受信領域に対して、ワイヤレスに送信するように構成されている第１の送信機と、
前記第１の信号の受信から導出された測定値を示す情報をワイヤレスに受信するように構成されている受信機と、
少なくとも１つのユーザデバイスを識別する情報を記憶するように構成されている登録ユニットと、
前記登録ユニット中に記憶されている情報によって識別されず、かつ、選択された期間の間に規定されたしきい値を超える干渉レートを経験した、デバイスの数をカウントするように構成されているプロセッサと、
前記カウントに少なくとも部分的に基づいて、前記第１の電力を調整するように構成されている電力調整ユニットと
を具備し、
前記受信機は、第２の受信領域内に位置しており、第２の信号は、第２の送信機から、前記第２の受信領域中の１つ以上のユーザデバイスに対してワイヤレスに送信され、前記第２の受信領域は、前記第１の受信領域より実質的に大きく、
前記登録ユニット中で識別されるユーザデバイスだけが、前記第１の送信機を介して、および、前記受信機を介して、他のユーザデバイスと通信することを許可され、
前記受信機は、前記登録ユニット中に記憶されている情報によって識別されるユーザデバイスから、測定値を示す情報を受信するように構成されており、
前記カウントは、前記受信された情報に少なくとも部分的に基づいている装置。
【請求項２】
前記受信機は、前記第２の送信機と通信しているユーザデバイスから、測定値を示す情報を受信するように構成されている、請求項１記載の装置。
【請求項３】
前記受信機は、第３の送信機から、測定値を示す情報を受信するように構成されており、前記第３の送信機は、クローズド加入者グループまたはクローズドユーザグループに関係付けられている、請求項１記載の装置。
【請求項４】
前記測定値は、前記第１の信号のパス損失を含む、請求項１記載の装置。
【請求項５】
前記電力調整ユニットは、前記第１の信号が最小の距離内で信頼可能に受信されなかったことを前記受信情報が示すときに、前記第１の電力を増加させるように構成されている、請求項４記載の装置。
【請求項６】
前記電力決定ユニットは、前記第１の信号が前記最小の距離内で信頼可能に受信されなかったことを示している情報を、前記受信機が受信する度に、前記電力を予め定められた量だけ増加させるように構成されている、請求項５記載の装置。
【請求項７】
前記電力調整ユニットは、前記第１の信号が最大の距離より遠い距離において信頼可能に受信されていることを、前記受信情報が示すときに、前記第１の電力を減少させるように構成されている、請求項４記載の装置。
【請求項８】
前記第１の信号が信頼可能に受信される距離を決定するように構成されているマッピングユニットをさらに具備し、前記決定は少なくとも前記受信情報に基づいており、前記電力調整ユニットは、前記距離と、所望の距離との間の差に比例して、前記第１の電力を調整するように構成されている、請求項４記載の装置。
【請求項９】
前記測定値は、前記第１の信号の受信信号コード電力を含む、請求項１記載の装置。
【請求項１０】
前記電力調整ユニットは、前記受信信号コード電力と、所望の受信電力との間の差に比例して、前記第１の電力を調整するように構成されている、請求項９記載の装置。
【請求項１１】
前記電力調整ユニットは、前記受信メッセージが、選択されたユーザデバイスが、前記第１の信号を不十分な電力で受信していること、または、規定されたしきい値を超える干渉レートを経験していることを示すとき、前記第１の電力を一時的に増加させるように構成されている、請求項１記載の装置。
【請求項１２】
前記受信機は第２の情報を受信するように構成されており、前記第２の情報は、前記第１の電力が調整された後の、前記第１の信号の受信から導出された測定値を示しており、前記電力調整ユニットは、前記第２の情報が、前記選択されたユーザデバイスが、前記第１の信号を不十分な電力で受信しなくなったこと、または、前記規定されたしきい値を超える干渉レートを経験しなくなったことを示すとき、前記第１の電力を減少させるように構成されている、請求項１１記載の装置。
【請求項１３】
前記電力調整ユニットは、前記受信メッセージが、選択されたユーザデバイスが規定されたしきい値を超える干渉レートを経験していることを示すとき、前記第１の電力を一時的に減少させるように構成されており、前記電力調整ユニットは、前記選択されたユーザデバイスが、規定されたしきい値を超える干渉レートを経験しなくなったとき、前記第１の電力を増加させるように構成されている、請求項１記載の装置。
【請求項１４】
前記第１の電力はデフォルト送信電力を含み、前記第１の電力が調整された後、前記電力調整ユニットは、最小期間の後まで、前記第１の電力のさらなる調整を遅らせるように構成されている、請求項１記載の装置。
【請求項１５】
前記第１の送信機は、前記測定値を示す情報に対する要求を送信するようにさらに構成されている、請求項１記載の装置。
【請求項１６】
前記第１の信号はパイロット信号を含む、請求項１記載の装置。
【請求項１７】
ワイヤレス通信の方法において、
第１の送信機によって、第１の電力を有する第１の信号を、第１の受信領域に対して、ワイヤレスに送信することと、
受信機によって、前記第１の信号の受信から導出された測定値を示す情報を、第１のロケーション中でワイヤレスに受信することと、
プロセッサによって、少なくとも１つのユーザデバイスを識別する情報を、登録ユニット中に記憶させることと、
プロセッサによって、前記登録ユニット中に記憶されている情報によって識別されず、かつ、選択された期間の間に規定されたしきい値を超える干渉レートを経験した、デバイスの数をカウントすることと、
電力調整ユニットによって、前記カウントに少なくとも部分的に基づいて、前記第１の電力を調整することと
を含み、
前記第１のロケーションは、第２の受信領域内にあり、第２の信号は、第２の送信機から、前記第２の受信領域中の１つ以上のユーザデバイスに対してワイヤレスに送信され、前記第２の受信領域は、前記第１の受信領域より実質的に大きく、
前記登録ユニット中で識別されるユーザデバイスだけが、前記第１の送信機を介して、および、前記受信機を介して、他のユーザデバイスと通信することを許可され、
前記受信は、前記登録ユニット中に記憶されている情報によって識別されるユーザデバイスから、測定値を示す情報を受信することを含み、
前記カウントは、前記受信された情報に少なくとも部分的に基づいている方法。
【請求項１８】
前記受信は、前記第２の送信機と通信しているユーザデバイスから、測定値を示す情報を受信することを含む、請求項１７記載の方法。
【請求項１９】
前記受信は、第３の送信機から、測定値を示す情報を受信することを含み、前記第３の送信機は、クローズド加入者グループまたはクローズドユーザグループに関係付けられている、請求項１７記載の方法。
【請求項２０】
前記測定値は、前記第１の信号のパス損失を含む、請求項１７記載の方法。
【請求項２１】
前記第１の信号が最小の距離内で信頼可能に受信されなかったことを、前記受信情報が示すときに、前記第１の電力を調整することを含む、請求項２０記載の方法。
【請求項２２】
前記調整は、前記第１の信号が前記最小の距離内で信頼可能に受信されなかったことを示している情報を、受信機が受信する度に、前記電力を予め定められた量だけ増加させることを含む、請求項２１記載の方法。
【請求項２３】
前記調整は、前記第１の信号が最大の距離より遠い距離において信頼可能に受信されていることを、前記受信情報が示すときに、前記第１の電力を減少させることを含む、請求項２０記載の方法。
【請求項２４】
前記第１の信号が信頼可能に受信される距離を決定することをさらに含み、前記決定は少なくとも前記受信情報に基づいており、前記調整は、前記距離と、所望の距離との間の差に比例して、前記第１の電力を調整することを含む、請求項２０記載の方法。
【請求項２５】
前記測定値は、前記第１の信号の受信信号コード電力を含む、請求項１７記載の方法。
【請求項２６】
前記調整は、前記受信信号コード電力と、所望の受信電力との間の差に比例して、前記第１の電力を調整することを含む、請求項２５記載の方法。
【請求項２７】
前記調整は、前記受信メッセージが、選択されたユーザデバイスが、前記第１の信号を不十分な電力で受信していること、または、規定されたしきい値を超える干渉レートを経験していることを示すとき、前記第１の電力を一時的に増加させることを含む、請求項１７記載の方法。
【請求項２８】
第２の情報を受信することをさらに含み、前記第２の情報は、前記第１の電力が調整された後の、前記第１の信号の受信から導出された測定値を示しており、前記第２の情報が、前記選択されたユーザデバイスが、前記第１の信号を不十分な電力で受信しなくなったこと、または、前記規定されたしきい値を超える干渉レートを経験しなくなったことを示すとき、前記第１の電力を減少させることをさらに含む、請求項２７記載の方法。
【請求項２９】
前記調整は、前記受信メッセージが、選択されたユーザデバイスが規定されたしきい値を超える干渉レートを経験していることを示すとき、前記第１の電力を一時的に減少させることを含み、前記選択されたユーザデバイスが、前記規定されたしきい値を超える干渉レートを経験しなくなったとき、前記第１の電力を増加させることをさらに含む、請求項１７記載の方法。
【請求項３０】
前記第１の電力はデフォルト送信電力を含み、前記第１の電力が調整された後、前記方法は、最小期間の後まで、前記第１の電力のさらなる調整を遅らせることをさらに含む、請求項１７記載の方法。
【請求項３１】
前記測定値を示す情報に対する要求を送信することをさらに含む、請求項１７記載の方法。
【請求項３２】
前記第１の信号はパイロット信号を含む、請求項１７記載の方法。
【請求項３３】
ワイヤレス通信のための装置において、
第１の電力を有する第１の信号を、第１の受信領域に対して、ワイヤレスに送信する手段と、
前記第１の信号の受信から導出された測定値を示す情報を、第１のロケーション中でワイヤレスに受信する手段と、
少なくとも１つのユーザデバイスを識別する情報を、登録ユニット中に記憶させる手段と、
前記登録ユニット中に記憶されている情報によって識別されず、かつ、選択された期間の間に規定されたしきい値を超える干渉レートを経験した、デバイスの数をカウントする手段と
前記カウントに少なくとも部分的に基づいて、前記第１の電力を調整する手段と
を具備し、
前記第１のロケーションは、第２の受信領域内にあり、第２の信号は、第２の送信機から、前記第２の受信領域中の１つ以上のユーザデバイスに対してワイヤレスに送信され、前記第２の受信領域は、前記第１の受信領域より実質的に大きく、
前記登録ユニット中で識別されるユーザデバイスだけが、前記送信手段を介して、および、前記受信手段を介して、他のユーザデバイスと通信することを許可され、
前記受信手段は、前記登録ユニット中に記憶されている情報によって識別されるユーザデバイスから、測定値を示す情報を受信するように構成されており、
前記カウントは、前記受信された情報に少なくとも部分的に基づいている装置。
【請求項３４】
命令を記憶する、コンピュータ読取可能記憶媒体において、
前記命令は、
コンピュータに、第１の電力を有する第１の信号を、第１の受信領域に対して、ワイヤレスに送信させるためのコードと、
前記コンピュータに、前記第１の信号の受信から導出された測定値を示す情報を、第１のロケーション中でワイヤレスに受信させるためのコードと、
前記コンピュータに、少なくとも１つのユーザデバイスを識別する情報を、登録ユニット中に記憶させるためのコードと、
前記コンピュータに、前記登録ユニット中に記憶されている情報によって識別されず、かつ、選択された期間の間に規定されたしきい値を超える干渉レートを経験した、デバイスの数をカウントさせるためのコードと、
前記コンピュータに、前記カウントに少なくとも部分的に基づいて、前記第１の電力を調整させるためのコードと
を含み、
前記第１のロケーションは、第２の受信領域内にあり、第２の信号は、第２の送信機から、前記第２の受信領域中の１つ以上のユーザデバイスに対してワイヤレスに送信され、前記第２の受信領域は、前記第１の受信領域より実質的に大きく、
前記登録ユニット中で識別されるユーザデバイスだけが、第１の送信機を介して、および、受信機を介して、他のユーザデバイスと通信することを許可され、
前記第１の信号の受信から導出された測定値を示す情報を、第１のロケーション中でワイヤレスに受信させるためのコードは、前記コンピュータに、前記登録ユニット中に記憶されている情報によって識別されるユーザデバイスから、測定値を示す情報を受信させるためのコードを含み、
前記カウントは、前記受信された情報に少なくとも部分的に基づいているコンピュータ読取可能記憶媒体。
【発明の詳細な説明】
【米国法第３５部第１１９条に基づく優先権の主張】
【０００１】
本特許出願は、２００９年４月２３日に出願され、“ホームユーザ装置で支援されているホームノードＢ電力較正”と題されている米国仮出願第６１／１７２，０３３号；２００９年４月２３日に出願され、“マクロユーザ装置で支援されているホームノードＢ電力較正”と題されている米国仮出願第６１／１７２，０３８号；２００９年５月１日に出願され、“ＭＵＥ登録ベースのＨＮＢ電力較正”と題されている米国仮出願第６１／１７４，６１１号；および、２０１０年２月１２日に出願され、“マクロユーザ装置で支援されているホームノードＢ電力較正”と題されている米国仮出願第６１／３０４，２８４号に対する優先権を主張している。上記の出願は、ここで参照によりその全体を明示的に組み込まれている。
【分野】
【０００２】
本出願は、一般的にワイヤレス通信に関連し、より詳細には、フェムトノードにおける送信電力を調整するためのシステムと方法に関連する。
【背景】
【０００３】
ワイヤレス通信システムは、複数のユーザに対して、さまざまなタイプの通信（例えば、音声、データ、マルチメディアサービス等）を提供するために、広く配備されている。高レートおよびマルチメディアのデータサービスに対する需要の急速な成長に伴って、拡張された性能を有する、効率的で堅牢な通信システムを実現するための挑戦がある。
【０００４】
現在配備されている移動体電話ネットワークに加えて、新しいクラスの小さい基地局が出現しており、これは、ユーザの家において据え付けられて、既存のブロードバンドインターネット接続を使用して、移動体ユニットに対して室内のワイヤレスカバレッジを提供してもよい。このようなパーソナルミニチュア基地局は、一般的に、アクセスポイント基地局、または、代わりに、ホームノードＢ（ＨＮＢ）、または、フェムトノードとして、一般的に知られている。典型的に、このようなミニチュア基地局は、ＤＳＬルータまたはケーブルモデムを介して、インターネットおよび移動体オペレータのネットワークに接続されている。
【０００５】
複数のフェムトノードが、従来のマクロノード（マクロノードＢ、または、ＭＮＢ）のカバレッジエリア中で、個々のユーザによって配備されてもよい。フェムトノードから通信を受信しているユーザは、いくつかの状況において、マクロノードからの信号を検出するかもしれず、マクロノードから通信を受信しているユーザは、いくつかの状況において、フェムトノードからの信号を検出するかもしれない。このような通信を正確に受信するために、これらのユーザによって経験される干渉を減少させることが有利である。したがって、フェムトノードによってもたらされる干渉を減少させるための方法、システム、および、デバイスが望ましい。
【概要】
【０００６】
本発明のシステム、方法、および、デバイスは、それぞれ、いくつかの観点を持っており、これらのうちの単一のものだけが、所望の属性を担うわけではない。以下に続く、特許請求の範囲によって明示される本発明の範囲を制限することなく、いくつかの特徴をここで簡単に説明することにする。この説明を考慮した後で、特に、“詳細な説明”と題したセクションを読んだ後で、本発明の特徴が、フェムトノードの適切な送信電力を決定することを含む利点をどのように提供するかが理解されることになるだろう。
【０００７】
本開示の１つの観点は、ワイヤレス通信のための装置である。装置は、第１の電力を有する第１の信号を、第１の受信領域に対して、ワイヤレスに送信するように構成されている第１の送信機を具備する。装置は、第１の信号の受信から導出された測定値を示す情報をワイヤレスに受信するように構成されている受信機をさらに具備する。装置は、受信された情報に少なくとも部分的に基づいて、第１の電力を調整するように構成されている電力調整ユニットをさらに具備する。いくつかの実施形態では、受信機は、第２の受信領域内に位置しており、第２の信号は、第２の送信機から、第２の受信領域中の１つ以上のユーザデバイスに対してワイヤレスに送信される。いくつかの実施形態では、第２の受信領域は、第１の受信領域より実質的に大きい。
【０００８】
本開示の別の観点は、ワイヤレス通信の方法である。方法は、第１の電力を有する第１の信号を、第１の受信領域に対して、ワイヤレスに送信することを含む。方法は、第１の信号の受信から導出された測定値を示す情報を、第１のロケーション中でワイヤレスに受信することをさらに含む。方法は、受信された情報に少なくとも部分的に基づいて、第１の電力を調整することをさらに含む。いくつかの実施形態では、第１のロケーションは、第２の受信領域内にあり、第２の信号は、第２の送信機から、第２の受信領域中の１つ以上のユーザデバイスに対してワイヤレスに送信される。いくつかの実施形態では、第２の受信領域は、第１の受信領域より実質的に大きい。
【０００９】
本開示のさらに別の観点は、ワイヤレス通信のための装置である。装置は、第１の電力を有する第１の信号を、第１の受信領域に対して、ワイヤレスに送信する手段を具備する。装置は、第１の信号の受信から導出された測定値を示す情報を、第１のロケーション中でワイヤレスに受信する手段をさらに具備する。装置は、受信された情報に少なくとも部分的に基づいて、第１の電力を調整する手段をさらに具備する。いくつかの実施形態では、第１のロケーションは、第２の受信領域内にあり、第２の信号は、第２の送信機から、第２の受信領域中の１つ以上のユーザデバイスに対してワイヤレスに送信される。いくつかの実施形態では、第２の受信領域は、第１の受信領域より実質的に大きい。
【００１０】
本開示の依然として別の観点は、コンピュータ読取可能媒体を有するコンピュータプログラム製品である。コンピュータ読取可能媒体は、コンピュータに、第１の電力を有する第１の信号を、第１の受信領域に対して、ワイヤレスに送信させるためのコードを含む。コンピュータ読取可能媒体は、コンピュータに、第１の信号の受信から導出された測定値を示す情報を、第１のロケーション中でワイヤレスに受信させるためのコードをさらに含む。コンピュータ読取可能媒体は、コンピュータに、受信された情報に少なくとも部分的に基づいて、第１の電力を調整させるためのコードをさらに含む。いくつかの実施形態では、第１のロケーションは、第２の受信領域内にあり、第２の信号は、第２の送信機から、第２の受信領域中の１つ以上のユーザデバイスに対してワイヤレスに送信される。いくつかの実施形態では、第２の受信領域は、第１の受信領域より実質的に大きい。
【００１１】
本開示の１つの観点は、ワイヤレス通信のための装置である。装置は、信号の受信から導出された測定値を示す情報を受信するように構成されている受信機を具備する。装置は、第１の送信デバイスに対して、通信をワイヤレスに送信するように構成されている送信機をさらに具備する。通信は、受信された情報の少なくとも一部、または、受信された情報から少なくとも部分的に導出された情報を含んでもよい。いくつかの実施形態では、第１の送信デバイスは、第１の受信領域に対して、第１の信号をワイヤレスに送信するように構成されている。いくつかの実施形態では、第１の送信デバイスは、第２の受信領域内に位置しており、第２の信号は、第２の送信デバイスから、第２の受信領域中の１つ以上のユーザデバイスに対してワイヤレスに送信される。いくつかの実施形態では、第２の受信領域は、第１の受信領域より実質的に大きい。
【００１２】
本開示の別の観点は、ワイヤレス通信の方法である。方法は、信号の受信から導出された測定値を示す情報を受信することを含む。方法は、フェムトノードに対して、通信をワイヤレスに送信することをさらに含み、通信は、受信された情報の少なくとも一部、または、受信された情報から少なくとも部分的に導出された情報を含む。
【００１３】
本開示のさらに別の観点は、ワイヤレス通信のための装置である。装置は、信号の受信から導出された測定値を示す情報を受信する手段を具備する。装置は、フェムトノードに対して、通信をワイヤレスに送信する手段をさらに具備し、通信は、受信された情報の少なくとも一部、または、受信された情報から少なくとも部分的に導出された情報を含む。
【００１４】
本開示の依然として別の観点は、コンピュータ読取可能媒体を有するコンピュータプログラム製品である。コンピュータ読取可能媒体は、コンピュータに、信号の受信から導出された測定値を示す情報を受信させるためのコードを含む。コンピュータ読取可能媒体は、コンピュータに、フェムトノードに対して、通信をワイヤレスに送信させるためのコードをさらに含み、通信は、受信された情報の少なくとも一部、または、受信された情報から少なくとも部分的に導出された情報を含む。
【００１５】
本開示の１つの観点は、フェムトノードである。フェムトノードは、送信デバイスから送信された信号を受信するように構成されている受信機を具備する。フェムトノードは、受信された信号に少なくとも部分的に基づいて、測定値を決定するように構成されている決定ユニットをさらに具備する。フェムトノードは、隣接フェムトノードに対して、測定値を示す情報を含む通信をワイヤレスに送信するように構成されている送信機をさらに具備する。
【００１６】
本開示の別の観点は、フェムトノードを使用して通信するための方法である。方法は、送信デバイスから送信された信号を受信することを含む。方法は、受信された信号に少なくとも部分的に基づいて、測定値を決定することをさらに含む。方法は、隣接フェムトノードに対して、測定値を示す情報を含む通信をワイヤレスに送信することをさらに含む。
【００１７】
本開示のさらに別の観点は、フェムトノードである。フェムトノードは、送信デバイスから送信された信号を受信する手段を具備する。フェムトノードは、受信された信号に少なくとも部分的に基づいて、測定値を決定する手段をさらに具備する。フェムトノードは、隣接フェムトノードに対して、測定値を示す情報を含む通信をワイヤレスに送信する手段をさらに具備する。
【００１８】
本開示の依然として別の観点は、コンピュータ読取可能媒体を有するコンピュータプログラム製品である。コンピュータ読取可能媒体は、フェムトノードに、送信デバイスから送信された信号を受信させるためのコードを含む。コンピュータ読取可能媒体は、フェムトノードに、受信された信号に少なくとも部分的に基づいて、測定値を決定させるためのコードをさらに含む。コンピュータ読取可能媒体は、フェムトノードに、隣接フェムトノードに対して、測定値を示す情報を含む通信をワイヤレスに送信させるためのコードをさらに含む。
【図面の簡単な説明】
【００１９】
【図１】図１は、例示的なワイヤレス通信ネットワークを図示する。
【図２】図２は、２つ以上の通信ネットワークの例示的な相互動作を図示する。
【図３】図３は、図１および２に示したワイヤレス通信ネットワークの例示的なカバレッジエリアを図示する。
【図４】図４は、図２の通信ネットワークのうちの１つにおける第１の例示的なフェムトノードおよび第１の例示的なユーザ装置の機能的ブロック図である。
【図５】図５は、図２の通信ネットワークのうちの１つにおける第２の例示的なフェムトノードの機能的ブロック図である。
【図６】図６は、図２の通信ネットワークのうちの１つにおける第２の例示的なユーザ装置の機能的ブロック図である。
【図７】図７は、図２の通信ネットワークのうちの１つにおける例示的なマクロノードの機能的ブロック図である。
【図８】図８は、ユーザ装置の例示的な通信プロセスを図示するフローチャートである。
【図９】図９は、ノードの例示的な通信プロセスを図示するフローチャートである。
【図１０】図１０は、フェムトノードの送信電力を調整する例示的なプロセスを図示するフローチャートである。
【図１１】図１１は、ユーザ装置の例示的な通信プロセスを図示するフローチャートである。
【図１２】図１２は、フェムトノードの送信電力を調整する例示的なプロセスを図示するフローチャートである。
【図１３】図１３は、フェムトノードの送信電力を調整する例示的なプロセスを図示するフローチャートである。
【発明の詳細な説明】
【００２０】
“例示的”という言葉は、“例として、事例として、あるいは、例示として働くこと”を意味するために、ここで使用されている。ここで“例示的”として記述した任意の実施形態は、必ずしも他の実施形態より好ましい、または有利であるとして解釈すべきではない。ここで説明する技術は、コード分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、および、単一搬送波ＦＤＭＡ（ＳＣ−ＦＤＭＡ）ネットワーク、等のようなさまざまな通信ネットワークに対して使用されてもよい。用語“ネットワーク”および“システム”は、しばしば相互交換可能に使用される。ＣＤＭＡネットワークは、ユニバーサル地上無線接続（ＵＴＲＡ）、ｃｄｍａ２０００、等のような無線技術を実現してもよい。ＵＴＲＡは、広帯域ＣＤＭＡ（ＷＣＤＭＡ）と、低チップレート（ＬＣＲ）を含む。ｃｄｍａ２０００は、ＩＳ−２０００、ＩＳ−９５、および、ＩＳ−８５６標準規格をカバーする。ＴＤＭＡネットワークは、移動体通信のためのグローバルシステム（ＧＳＭ（登録商標））のような無線技術を実現してもよい。ＯＦＤＭＡネットワークは、進化ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）等のような無線技術を実現してもよい。ＵＴＲＡ、Ｅ−ＵＴＲＡ、および、ＧＳＭは、ユニバーサル移動体電気通信システム（ＵＭＴＳ）の一部である。長期間進化（ＬＴＥ）は、Ｅ−ＵＴＲＡを使用するＵＭＴＳの次に来るリリースである。ＵＴＲＡ、Ｅ−ＵＴＲＡ、ＧＳＭ、ＵＭＴＳ、および、ＬＴＥは、“第３世代パートナーシッププロジェクト”（３ＧＰＰ）と称されるコンソーシアムからの文書に説明されている。ｃｄｍａ２０００は、“第３世代パートナーシッププロジェクト２”（３ＧＰＰ２）と称されるコンソーシアムからの文書に説明されている。これらのさまざまな無線技術および標準規格は、技術的に知られている。
【００２１】
ある技術は、単一搬送波変調および周波数領域等化を利用する、単一搬送波周波数分割多元接続（ＳＣ−ＦＤＭＡ）である。ＳＣ−ＦＤＭＡは、ＯＦＤＭＡシステムの性能と同様の性能を有しており、ＯＦＤＭＡシステムの全体的な複雑さと本質的に同一の全体的な複雑さを有している。ＳＣ−ＦＤＭＡ信号は、その本質的な単一搬送波構造のために、より低いピーク平均電力比（ＰＡＰＲ）を有する。ＳＣ−ＦＤＭＡは、特に、送信電力効率に関して、より低いＰＡＰＲが移動体端末を大いに利する、アップリンク通信において、大いに注目を集めてきた。これは、現在、３ＧＰＰ長期進化（ＬＴＥ）、または、進化ＵＴＲＡにおける、アップリンク多元接続スキームに対する運用前提となっている。
【００２２】
いくつかの観点では、マクロスケールカバレッジ（例えば、マクロセルネットワークとして典型的に呼ばれる、３Ｇネットワークのような広域セルラネットワーク）、および、より小さいスケールのカバレッジ（例えば、住居ベースの、または、建物ベースのネットワーク環境）を含むネットワークにおいて、ここでの教示を用いてもよい。ユーザ装置（“ＵＥ”）が、このようなネットワークを通して移動するにつれて、ユーザ装置は、マクロカバレッジを提供するアクセスノード（“ＡＮ”）によって、あるロケーション中で担当されてもよい一方で、ユーザ装置は、より小さいスケールのカバレッジを提供するアクセスノードによって、他のロケーションにおいて担当されてもよい。いくつかの観点では、より小さいカバレッジノードを使用して、インクリメンタルな容量増加、建物内カバレッジ、および、（例えば、より堅牢なユーザ経験のための）異なるサービスを提供してもよい。ここでの議論では、比較的広域にわたってカバレッジを提供するノードは、マクロノードとして呼ばれてもよい。比較的小さいエリア（例えば、住居）にわたってカバレッジを提供するノードは、フェムトノードとして呼ばれてもよい。マクロエリアよりは小さいが、フェムトエリアよりは大きいエリアにわたってカバレッジを提供する（例えば、商業ビル内でカバレッジを提供する）ノードをピコノードとして呼んでもよい。
【００２３】
マクロノード、フェムトノード、または、ピコノードに関係するセルは、それぞれ、マクロセル、フェムトセル、または、ピコセルとして呼ばれてもよい。いくつかの実現では、それぞれのセルは、１つ以上のセクタにさらに関係していてもよい（１つ以上のセクタへと分割されていてもよい）。
【００２４】
さまざまなアプリケーションにおいて、マクロノード、フェムトノード、または、ピコノードを指すのに、他の用語を使用してもよい。例えば、マクロノードは、アクセスノード、基地局、アクセスポイント、ｅノードＢ、マクロセル等として、構成されてもよく、または、呼ばれてもよい。また、フェムトノードは、ホームノードＢ、ホームｅノードＢ、アクセスポイント基地局、フェムトセル等として、構成されてもよく、または、呼ばれてもよい。
【００２５】
図１は、例示的なワイヤレス通信ネットワーク１００を図示する。ワイヤレス通信ネットワーク１００は、多数のユーザの間での通信をサポートするように構成されている。ワイヤレス通信ネットワーク１００は、例えば、セル１０２Ａ−１０２Ｇのような、１つ以上のセル１０２へと分割されてもよい。セル１０２Ａ−１０２Ｇ中の通信カバレッジは、例えば、ノード１０４Ａ−１０４Ｇのような、１つ以上のノード１０４によって提供されてもよい。それぞれのノード１０４は、対応するセル１０２に対して通信カバレッジを提供してもよい。ノード１０４は、例えば、ＵＥ１０６Ａ−１０６Ｌのような、複数のユーザ装置（ＵＥ）と対話してもよい。
【００２６】
それぞれのＵＥ１０６は、所定の瞬間において、フォワードリンク（ＦＬ）および／またはリバースリンク（ＲＬ）上で、１つ以上のノード１０４と通信してもよい。ＦＬは、ノードからＵＥに対する通信リンクである。ＲＬは、ＵＥからノードに対する通信リンクである。ノード１０４は、例えば、適切なワイヤードまたはワイヤレスインターフェースによって相互接続されていてもよく、互いに通信できてもよい。したがって、それぞれのＵＥ１０６は、１つ以上のノード１０４を通して、別のＵＥ１０６と通信してもよい。例えば、ＵＥ１０６Ｊは、以下のようにＵＥ１０６Ｈと通信してもよい。ＵＥ１０６Ｊは、ノード１０４Ｄと通信してもよい。ノード１０４Ｄは、ノード１０４Ｂと通信してもよい。ノード１０４Ｂは、ＵＥ１０６Ｈと通信してもよい。したがって、ＵＥ１０６Ｊと、ＵＥ１０６Ｈとの間で通信が確立される。
【００２７】
ワイヤレス通信ネットワーク１００は、広い地理的領域にわたってサービスを提供してもよい。例えば、セル１０２Ａ−１０２Ｇは、近隣内で数ブロックだけをカバーしてもよく、または、田舎の環境では、数平方マイルをカバーしてもよい。１つの実施形態では、それぞれのセルは、さらに、（示していない）１つ以上のセクタへと分割されてもよい。
【００２８】
上に記述したように、ノード１０４は、例えば、インターネットまたはセルラネットワークのような、通信ネットワークに対するそのカバレッジエリア内でユーザ装置（ＵＥ）１０６にアクセスを提供してもよい。
【００２９】
ＵＥ１０６は、通信ネットワークを通して、音声またはデータを送受信するためにユーザによって使用される、ワイヤレス通信デバイス（例えば、移動体電話機、ルータ、パーソナルコンピュータ、サーバ、等）であってもよい。ユーザ装置（ＵＥ）はまた、ここで、アクセス端末（ＡＴ）として、移動局（ＭＳ）として、または、端末デバイスとして呼ばれてもよい。示したように、ＵＥ１０６Ａ、１０６Ｈ、および、１０６Ｊはルータを含む。ＵＥ１０６Ｂ−１０６Ｇ、１０６Ｉ、１０６Ｋ、および、１０６Ｌは、移動体電話機を含む。しかしながら、ＵＥ１０６Ａ−１０６Ｌのそれぞれは、任意の適切な通信デバイスを含んでもよい。
【００３０】
図２は、２つ以上の通信ネットワークの例示的な相互動作を図示する。ＵＥ２２０にとって、ＵＥ２２１のような別のＵＥに対して情報を送信し、また、ＵＥ２２１のような別のＵＥからの情報を受信することが望ましい。図２は、ＵＥ２２０、２２１、および、２２２が互いに通信してもよい方法を図示する。図２に示したように、マクロノード２０５は、マクロエリア２３０内でユーザ装置に対して通信カバレッジを提供してもよい。例えば、ＵＥ２２０は、マクロノード２０５に対してメッセージを発生させ、送信してもよい。メッセージは、さまざまなタイプの通信（例えば、音声、データ、マルチメディアサービス、等）に関連する情報を含んでいてもよい。ＵＥ２２０は、ワイヤレスリンクを介して、マクロノード２０５と通信してもよい。マクロノード２０５は、ワイヤードリンクを介して、または、ワイヤレスリンクを介して、ネットワーク２４０と通信してもよい。フェムトノード２１０および２１２はまた、ワイヤードリンクを介して、または、ワイヤレスリンクを介して、ネットワーク２４０と通信してもよい。ＵＥ２２２は、ワイヤレスリンクを介して、フェムトノード２１０と通信してもよく、ＵＥ２２１は、ワイヤレスリンクを介して、フェムトノード２１２と通信してもよい。
【００３１】
マクロノード２０５はまた、ネットワーク２４０を通して、（図２に示していない）サーバ、および、（図２に示していない）スイッチングセンターのようなデバイスと通信してもよい。例えば、マクロノード２０５は、（図２に示していない）スイッチングセンターに対して、ＵＥ２２０から受信したメッセージを送信してもよく、スイッチングセンターは、別のネットワークに対して、このメッセージを送出してもよい。また、ネットワーク２４０を使用して、ＵＥ２２０、２２１、および、２２２の間で通信を容易にしてもよい。例えば、ＵＥ２２０は、ＵＥ２２１と通信していてもよい。ＵＥ２２０は、マクロノード２０５にメッセージを送信してもよい。マクロノード２０５は、ネットワーク２４０にメッセージを送出してもよい。ネットワーク２４０は、フェムトノード２１２にメッセージを送出してもよい。フェムトノード２１０は、ＵＥ２２１にメッセージを送出してもよい。同様に、リバースパスは、ＵＥ２２１からＵＥ２２０に対して続いてもよい。別の例では、ＵＥ２２１は、ＵＥ２２２と通信していてもよい。ＵＥ２２１は、フェムトノード２１２にメッセージを送信してもよい。フェムトノード２１２は、ネットワーク２４０にメッセージを送出してもよい。ネットワーク２４０は、フェムトノード２１０にメッセージを送出してもよい。フェムトノード２１０は、ＵＥ２２２にメッセージを送出してもよい。同様に、リバースパスは、ＵＥ２２２からＵＥ２２１に対して続いてもよい。
【００３２】
１つの実施形態では、フェムトノード２１０、２１２は、個々の消費者によって配備されてもよく、家、アパートメントビルディング、オフィスビルディング、および、類似のものにおいて設置されてもよい。フェムトノード２１０、２１２は、予め定められたセルラ送信帯域を利用している、フェムトノード２１０、２１２の、予め規定された範囲（例えば、１００ｍ）中で、ＵＥと通信してもよい。１つの実施形態では、フェムトノード２１０、２１２は、デジタル加入者ライン（ＤＳＬ、例えば、非対称ＤＳＬ（ＡＤＳＬ）、高データレートＤＳＬ（ＨＤＳＬ）、超高速ＤＳＬ（ＶＤＳＬ）等）、ＴＶケーブル伝送インターネットプロトコル（ＩＰ）トラフィック、電力ライン上のブロードバンド（ＢＰＬ）接続、または、他のリンクのような、インターネットプロトコル（ＩＰ）接続によって、ネットワーク２４０と通信してもよい。
【００３３】
ネットワーク２４０は、例えば、以下のネットワーク：インターネット、イントラネット、ローカルエリアネットワーク（ＬＡＮ）またはワイドエリアネットワーク（ＷＡＮ）を含む、何らかのタイプの電子的に接続されたコンピュータおよび／またはデバイスのグループを含んでいてもよい。さらに、ネットワークに対する接続性は、例えば、リモートモデム、イーサネット（登録商標）（ＩＥＥＥ８０２．３）、トークンリング（ＩＥＥＥ８０２．５）、ファイバー分散データリンクインターフェース（ＦＤＤＩ）非対称転送モード（ＡＴＭ）、ワイヤレスイーサネット（ＩＥＥＥ８０２．１１）、または、ブルートゥース（登録商標）（ＩＥＥＥ８０２．１５．１）であってもよい。コンピューティングデバイスは、デスクトップ、サーバ、ポータブル、手持ち、セットトップ、または、他の何らかの所望のタイプの構成であってもよい。ここで使用するように、ネットワーク２４０は、パブリックインターネット、インターネット内のプライベートネットワーク、インターネット内のセキュアネットワーク、プライベートネットワーク、パブリックネットワーク、価値付加されたネットワーク、イントラネット、および、これらに類するものを含む。ある実施形態では、ネットワーク２４０はまた、仮想プライベートネットワーク（ＶＰＮ）もまた含む。
【００３４】
マクロノード２０５および／またはフェムトノード２１０と２１２のいずれかもしくは両方は、何らかの複数のデバイスもしくは方法を使用して、ネットワーク２４０に接続されていてもよい。上で記述したように、フェムトノード２１０は、ＩＰ接続または他の手段を使用して、ネットワーク２４０に接続されていてもよい。マクロノード２０５は、類似の手段によって、または、他のパブリックの、プライベートの、もしくは、所有権のある手段によって、ネットワーク２４０に接続されていてもよい。ネットワーク２４０に対する接続は、ワイヤードまたはワイヤレスであってもよい。マクロノード２０５および／またはフェムトノード２１０と２１２のいずれかもしくは両方をネットワーク２４０に接続する、これらの接続は、ネットワークの“バックボーン”として呼ばれてもよく、バックホールとして呼ばれてもよい。無線ネットワーク制御装置（ＲＮＣ）、基地局制御装置（ＢＳＣ）のようなデバイス、または、（示していない）別のデバイスもしくはシステムを使用して、２つ以上のマクロノード、ピコノード、および／または、フェムトノードの間の通信を管理してもよい。いくつかの実施形態では、無線アクセスネットワークアプリケーションパート（ＲＡＮＡＰ）プロトコルを利用して、バックホールを通して、メッセージを通信してもよい。１つの実施形態では、無線アクセスネットワーク情報管理（ＲＩＭ）手続を利用して、バックホールを通して、メッセージを通信してもよい。当業者は、ネットワーク２４０と通信するための、他の適切なデバイスと方法について認識するだろう。
【００３５】
図３は、図１および２に示したワイヤレス通信ネットワーク１００および２００の例示的なカバレッジエリアを図示する。図２に関して上で説明したように、カバレッジエリア３００は、その中でＵＥ２２０が通信ネットワーク２４０にアクセスしてもよい１つ以上の地理的エリアを含んでもよい。示したように、カバレッジエリア３００は、いくつかのトラッキングエリア３０２（または、ルーティングエリア、または、ロケーションエリア）を含む。それぞれのトラッキングエリア３０２は、いくつかのマクロエリア３０４を含み、これは、図２に関して上で記述したマクロエリア２３０に類似していてもよい。ここで、トラッキングエリア３０２Ａ、３０２Ｂ、および、３０２Ｃに関連するカバレッジのエリアを、太線によって線引きしたものとして示し、マクロエリア３０４を、六角形によって表した。トラッキングエリア３０２はまた、フェムトエリア３０６を含んでいてもよく、これは、図２に関して上で記述したフェムトエリア２３０に類似していてもよい。この例において、それぞれのフェムトエリア３０６（例えば、フェムトエリア３０６Ｃ）を、マクロエリア３０４（例えば、マクロエリア３０４Ｂ）の内に図示した。しかしながら、フェムトエリア３０６は、マクロエリア３０４中に完全には収まっていなくてもよいことを認識すべきである。実際には、多数のフェムトエリア３０６は、所定のトラッキングエリア３０２またはマクロエリア３０４とともに規定されてもよい。また、（示していない）１つ以上のピコエリアは、所定のトラッキングエリア３０２またはマクロエリア３０４内で規定されてもよい。
【００３６】
再び図２を参照して、フェムトノード２１０の所有者は、通信ネットワーク２４０（例えば、移動体オペレータコアネットワーク）を通して提供される３Ｇ移動体サービスのような移動体サービスに加入していてもよい。さらに、ユーザ装置２２１は、マクロ環境（例えば、マクロエリア）中と、より小さいスケールの（例えば、住居、フェムトエリア、ピコエリア等の）ネットワーク環境中との両方において動作可能であってもよい。言い換えると、ユーザ装置２２１の現在のロケーションに依拠して、ユーザ装置２２１は、マクロノード２０５によって、または、１組のフェムトノード（例えば、フェムトノード２１０、２１２）の何らかのものによって、通信ネットワーク２４０にアクセスしてもよい。例えば、加入者が、彼の家の外にいるとき、彼は、マクロノード（例えば、ノード２０５）によって担当されてもよく、加入者が家にいるとき、彼は、フェムトノード（例えば、ノード２１０）によって担当されてもよい。フェムトノード２１０は、既存のユーザ装置２２１と後方互換性があってもよいことをさらに認識すべきである。
【００３７】
フェムトノード２１０は、単一の周波数を通して、または、代わりに、複数の周波数を通して通信してもよい。特定の構成に依拠して、単一の周波数、または、複数の周波数のうちの１つ以上は、マクロノード（例えば、ノード２０５）によって使用される１つ以上の周波数とオーバーラップしていてもよい。
【００３８】
１つの実施形態では、ユーザ装置２２１は、ユーザ装置２２１が特定の（例えば、好ましい）フェムトノードの通信範囲内にいるときはいつでも、その特定のフェムトノード（例えば、ユーザ装置２２１のホームフェムトノード）に接続するように構成されていてもよい。例えば、ユーザ装置２２１がフェムトエリア２１５内にいるとき、ユーザ装置２２１は、フェムトノード２１０とだけ、通信してもよい。
【００３９】
別の実施形態では、ユーザ装置２２１は、あるノードと通信しているが、（例えば、好ましいローミングリスト中に規定されるような）好ましいノードとは通信していない。この実施形態では、ユーザ装置２２１は、ベターシステムリセレクション（“ＢＳＲ”）を使用して、好ましいノード（例えば、好ましいフェムトノード２１０）を探すことを継続してもよい。ＢＳＲは、より良いシステムが現在利用可能であるか否かを決定するために、利用可能なシステムを定期的にスキャニングすることを含む方法を含んでもよい。ＢＳＲは、さらに、利用可能な好ましいシステムに関係しようと試みてもよい。ユーザ装置２２１は、ＢＳＲが１つ以上の特定の帯域および／またはチャネルを通してスキャニングするように制限してもよい。好ましいフェムトノード２１０の発見に際して、ユーザ装置２２１は、フェムトエリア２１５内で、通信ネットワーク２４０にアクセスするために通信するものとして、フェムトノード２１０を選択する。
【００４０】
例えば、マクロノード２０５と通信していてもよいＵＥ２２１が、フェムトノード２１０に近づいたとき、それは、フェムトノード２１０に対してハンドオフ（すなわち、アイドルまたはアクティブハンドオフ）してもよい。したがって、ＵＥ２２１は、フェムトノード２１０と通信し始める。ＩｘＲＴＴ、ＩｘＥＶ−ＤＯ、ＷＣＤＭＡ、ＨＳＰＡ等のような移動体ネットワークにおいて、ユーザ装置が、あるノードに近づいたとき、ハンドオフをトリガするためのメカニズムがある。ハンドオフをトリガするネットワークの条件は、ハンドオフ条件として呼ばれてもよい。例えば、それぞれのノード（例えば、フェムトノード、マクロノード、等）は、ビーコンを発生させ、送信するように構成されていてもよい。ビーコンは、パイロットチャネル、および、他のオーバーヘッドチャネルを含んでもよい。さらに、異なる周波数上で動作しているＵＥがビーコンを検出できるように、ビーコンは、複数の周波数上で送信されてもよい。ＵＥは、例えば、ハンドオフ条件が識別されるときに、ハンドオフを実行する目的のために、ノードから受信されたビーコンを使用してノードを識別してもよい。
【００４１】
いくつかの実施形態では、ＵＥは、フェムトノードから送信されたパイロット信号またはビーコンを検出することにより、フェムトノードを一意的に識別してもよい。１つの実施形態では、１つ以上のフェムトノードから送信されたビーコンは、フェムトノードのパイロット信号を含む。パイロット信号は、そこからそれらが送信されたフェムトノードを一意的に識別してもよい。例えば、フェムトノード２１０および２１２は、それぞれが、異なるパイロット信号を送信してもよい。ＵＥ２２１は、フェムトノード２１０および２１２のそれぞれからの両方のパイロット信号を受信してもよい。いくつかの実施形態では、ＵＥ２２１は、パイロット強度測定レポート（ＰＳＭＲ）、または、他の信号品質の表示を発生させてもよい。ＰＳＭＲは、受信パイロット信号を含んでいてもよい。ＰＳＭＲは、パイロット信号の信号強度（Ｅcp／Ｉo）をさらに含んでいてもよい。以下でより詳細に記述することになるように、ＵＥ２２１は、測定レポートメッセージ（ＭＲＭ）中で、それが通信しているマクロノード２０５に対して、あるいは、フェムトノード２１０および２１２の１つまたは両方に対して、ＰＳＭＲを送信してもよい。
【００４２】
１つの実施形態において、ノードは、それとともに、ノードが通信するように条件付けられている特定のユーザ装置だけに、特定のサービスを提供してもよい。このようなノードは、“制約された”または“クローズド”ノードとして呼ばれてもよい。制約されたフェムトノードを含むワイヤレス通信ネットワークにおいて、所定のユーザ装置は、マクロノードと、規定された組のフェムトノード（例えば、フェムトノード２１０）によってのみ、担当されてもよい。他の実施形態では、ノードは、シグナリング、データアクセス、登録、ページング、または、サービスのうちの少なくとも１つを提供しないように制約されていてもよい。
【００４３】
１つの実施形態では、（クローズド加入者グループホームノードＢとしても呼ばれてもよい）制約されたフェムトノードは、制約された条件付の組のユーザ装置に対してサービスを提供するノードの１つである。この組は、必要に応じて、追加のユーザ装置を含むように、または、より少ないユーザ装置しか含まないように、一時的に、または、永続的に変更されてもよい。いくつかの観点では、クローズド加入者グループ（“ＣＳＧ”）は、ユーザ装置の共通のアクセス制御リスト（例えば、制約された条件付きの組のユーザ装置）を共有する、１組のアクセスノード（例えば、フェムトノード）として規定されてもよい。ある領域中のすべてのフェムトノード（または、すべての制約されたフェムトノード）が、その上で動作するチャネルは、フェムトチャネルとして呼ばれてもよい。
【００４４】
したがって、所定のフェムトノードと、所定のユーザ装置との間で、さまざまな関係が存在してもよい。例えば、ユーザ装置の観点からは、オープンフェムトノードは、何の制約された関係も持たないフェムトノードを指してもよい。制約された、または、クローズドフェムトノードは、何らかの方法で制約されている（例えば、関係付けおよび／または登録に対して制約されている）フェムトノードを指してもよい。ハイブリッドフェムトノードは、制限された量のフェムトノードリソースが、すべてのユーザに対して利用可能である一方、残りのリソースが、制約された方法で運用されるフェムトノードを指してもよい。ホームフェムトノードは、その上で、ユーザ装置がアクセスし、動作するように加入している／認可されているフェムトノードを指してもよい。ゲストフェムトノードは、その上で、ユーザ装置が一時的にアクセスし、動作するように加入している／認可されているフェムトノードを指してもよい。エイリアンフェムトノードは、おそらくは、緊急の状況（例えば、９１１通話）を除いては、その上で、ユーザ装置がアクセスし、動作することを認可されていないフェムトノードを指してもよい。
【００４５】
制約されたフェムトノードの観点からは、ホームユーザ装置は、制約されているフェムトノードにアクセスするように加入している／認可されているユーザ装置を指してもよい。ゲストユーザ装置は、制約されているフェムトノードに対する一時的な加入／アクセスを有するユーザ装置を指してもよい。エイリアンユーザ装置は、おそらくは、９１１通話のような緊急の状況を除いては、制約されているフェムトノードにアクセスする認可を有していないユーザ装置を指してもよい。
【００４６】
便宜上、ここでの開示は、フェムトノードに関連するさまざまな機能を記述する。しかしながら、ピコノードが、より大きいカバレッジエリアに対して、同一のまたは同様の機能を提供してもよいことを認識すべきである。例えば、ピコノードは制約されていてもよく、ホームピコノードは、所定のユーザ装置に対して規定されていてもよい等である。
【００４７】
ワイヤレス多元接続通信システムは、複数のワイヤレスユーザ装置に対する通信を同時にサポートしてもよい。上で述べたように、それぞれのユーザ装置は、フォワードおよびリバースリンク上での送信を介して、１つ以上のノードと通信してもよい。フォワードリンク（すなわち、ダウンリンク）は、ノードからユーザ装置に対する通信リンクを指し、リバースリンク（すなわち、アップリンク）は、ユーザ装置からノードに対する通信リンクを指す。この通信リンクは、単数入力単数出力システム、複数入力複数出力（“ＭＩＭＯ”）システム、または、他の何らかのタイプのシステムを介して確立されてもよい。
【００４８】
ＭＩＭＯシステムは、データ送信のために、複数の（ＮＴ）送信アンテナおよび複数の（ＮＲ）受信アンテナを用いる。ＮＴ送信およびＮＲ受信アンテナによって形成されているＭＩＭＯチャネルは、ＮＳの独立チャネルを含んでいてもよく、これはまた、空間チャネルとしても呼ばれ、ここで、ＮＳ≦ｍｉｎ｛ＮＴ，ＮＲ｝である。ＮＳの独立チャネルのそれぞれは、次元に対応している。複数の送受信アンテナによって作成される、追加の次元が利用される場合、ＭＩＭＯシステムは、改善された性能（例えば、より高いスループットおよび／またはより大きい信頼可能性）を提供してもよい。
【００４９】
ＭＩＭＯシステムは、時分割二重（“ＴＤＤ”）および周波数分割二重（“ＦＤＤ”）をサポートしてもよい。ＴＤＤシステムにおいて、相互関係の原則が、リバースリンクチャネルからのフォワードリンクチャンネルの推定を可能にするように、フォワードおよびリバースリンク送信は、同一の周波数領域上のものであってもよい。このことは、複数のアンテナがデバイスにおいて利用可能であるときに、デバイス（例えば、ノード、ユーザ装置、等）が、フォワードリンク上で送信ビーム形成利得を抽出することを可能にする。
【００５０】
ここでの教示は、他の少なくとも１つのデバイスとともに通信するためのさまざまなコンポーネントを用いて、デバイス（例えば、ノード、ユーザ装置、等）へと組み込まれてもよい。
【００５１】
図４は、図２の通信ネットワークのうちの１つにおける第１の例示的なフェムトノード４１０および第１の例示的なユーザ装置４５０の機能的ブロック図である。示したように、ＭＩＭＯシステム４００は、フェムトノード４１０およびユーザ装置４５０（例えば、ユーザ装置２２２）を含む。フェムトノード４１０において、いくつかのデータストリームに対するトラフィックデータが、データ源４１２から送信（“ＴＸ”）データプロセッサ４１４に対して提供される。
【００５２】
１つの実施形態において、それぞれのデータストリームが、各送信アンテナを通して送信される。ＴＸデータプロセッサ４１４は、そのデータストリームに対して選択された特定のコーディングスキームに基づいて、それぞれのデータストリームに対するトラフィックデータを、フォーマットし、コード化し、インターリーブして、コード化されたデータを提供する。
【００５３】
それぞれのデータストリームに対するコード化データは、ＯＦＤＭ技術を使用して、パイロットデータと多重化されてもよい。パイロットデータは、典型的に、周知の方法で処理される周知のデータパターンであり、受信機システムにおいて、チャネル応答を推定するのに使用されてもよい。次に、それぞれのデータストリームに対する、多重化されたパイロットおよびコード化データを、そのデータストリームに対して選択された特定の変調スキーム（例えば、ＢＰＳＫ、ＱＳＰＫ、Ｍ− ＰＳＫ、または、Ｍ−ＱＡＭ）に基づいて、変調（すなわち、シンボルマップ）して、変調シンボルを提供する。それぞれのデータストリームに対する、データレート、コーディング、および、変調は、プロセッサ４３０によって実行される命令によって決定されてもよい。データメモリ４３２は、フェムトノード４１０の、プロセッサ４３０、または、他のコンポーネントによって使用される、プログラムコード、データ、および、他の情報を記憶してもよい。
【００５４】
すべてのデータストリームに対する変調シンボルが、次に、ＴＸ ＭＩＭＯプロセッサ４２０に対して提供され、これは、（例えば、ＯＦＤＭに対する）変調シンボルをさらに処理する。ＴＸ ＭＩＭＯプロセッサ４２０は、ＮＴの変調シンボルストリームを、ＮＴの送信機（“ＸＣＶＲ”）４２２Ａから４２２Ｔに対して提供する。いくつかの観点では、ＴＸ ＭＩＭＯプロセッサ４２０は、データストリームのシンボルに対して、および、そこからシンボルが送信されているアンテナに対して、ビーム形成重みを適用する。
【００５５】
それぞれのトランシーバ４２２は、各シンボルストリームを受信および処理して、１つ以上のアナログ信号を提供し、アナログ信号をさらに調整（例えば、増幅、フィルタ、アップコンバート）して、ＭＩＭＯチャネルを通しての送信に適した変調信号を提供する。トランシーバ４２２Ａから４２２ＴからのＮＴの変調された信号は、次に、それぞれ、ＮＴのアンテナ４２４Ａから４２４Ｔより送信される。
【００５６】
ユーザ装置４５０において、送信された変調信号は、ＮＲのアンテナ４５２Ａから４５２Ｔによって受信され、それぞれのアンテナ４５２からの受信信号は、それぞれのトランシーバ（“ＸＣＶＲ”）４５４Ａから４５４Ｒに対して提供される。それぞれのトランシーバ４５４は、各受信信号を調整（例えば、フィルタ、増幅、ダウンコンバート）して、調整された信号をデジタル化して、サンプルを提供し、サンプルをさらに処理して、対応する“受信された”シンボルストリームを提供する。
【００５７】
受信（“ＲＸ”）データプロセッサ４６０は、次に、特定の受信機処理技術に基づいて、ＮＲのトランシーバ４５４からのＮＲの受信シンボルストリームを受取および処理して、ＮＴの“検出された”シンボルストリームを提供する。ＲＸデータプロセッサ４６０は、次に、それぞれの検出されたシンボルストリームを復調し、デインターリーブし、デコードして、データストリームに対するトラフィックデータを回復する。ＲＸデータプロセッサ４６０によって実行される処理は、フェムトノード４１０において、ＴＸ ＭＩＭＯプロセッサ４２０および、ＴＸ データプロセッサ４１４によって実行されるものに対して補完的である。
【００５８】
プロセッサ４７０は、使用するためのプレコーディングマトリックスを定期的に決定してもよい。プロセッサ４７０は、マトリックスインデックス部分と、ランク値部分とを含むリバースリンクメッセージを形成してもよい。データメモリ４７２は、ユーザ装置４５０の、プロセッサ４７０または他のコンポーネントによって使用される、プログラムコード、データ、および、他の情報を記憶してもよい。
【００５９】
リバースリンクメッセージは、通信リンクおよび／または受信データストリームに関する、さまざまなタイプの情報を含んでいてもよい。リバースリンクメッセージは、次に、ＴＸデータプロセッサ４３８によって処理される。ＴＸデータプロセッサ４３８はまた、データ源４３６からいくつかのデータストリームに対するトラフィックデータを受信してもよい。変調器４８０は、データストリームを変調する。さらに、トランシーバ４５４Ａから４５４Ｒは、データストリームを調整して、フェムトノード４１０にデータストリームを送り返す。
【００６０】
フェムトノード４１０において、ユーザ装置４５０からの変調された信号は、アンテナ４２４によって受信される。さらに、トランシーバ４２２は、変調された信号を調整する。復調器（“ＤＥＭＯＤ”）４４０は、変調された信号を復調する。ＲＸデータプロセッサ４２２は、復調された信号を処理して、ユーザ装置４５０によって送信されたリバースリンクメッセージを抽出する。プロセッサ４３０は、次に、ビーム形成重みを決定するために、どのプレコーディングマトリックスを使用するかを決定してもよい。さらに、プロセッサ４３０は、抽出されたメッセージを処理する。
【００６１】
さらに、フェムトノード４１０および／またはユーザ装置４５０は、ここで教示するような干渉制御動作を実行する１つ以上のコンポーネントを含んでもよい。例えば、干渉（“ＩＮＴＥＲ”）制御コンポーネント４９０は、フェムトノード４１０の、プロセッサ４３０および／または他のコンポーネントと協調して、ここで教示するように、別のデバイス（例えば、ユーザ装置４５０）に対する信号を送ってもよく、別のデバイス（例えば、ユーザ装置４５０）からの信号を受信してもよい。同様に、干渉制御コンポーネント４９２は、ユーザ装置４５０の、プロセッサ４７０および／または他のコンポーネントと協調して、別のデバイス（例えば、フェムトノード４１０）に対する信号を送ってもよく、別のデバイス（例えば、フェムトノード４１０）からの信号を受信してもよい。フェムトノード４１０と、ユーザ装置４５０のそれぞれに対して、記述したコンポーネントの２つ以上の機能は、単一のコンポーネントによって提供されてもよいことを認識すべきである。例えば、単一の処理コンポーネントは、干渉制御コンポーネント４９０と、プロセッサ４３０との機能を提供してもよい。さらに、単一の処理コンポーネントは、干渉制御コンポーネント４９２と、プロセッサ４７０との機能を提供してもよい。
【００６２】
図５は、図２の通信ネットワークのうちの１つにおける第２の例示的なフェムトノードの機能的ブロック図である。上に記述したように、フェムトノード２１０は、図１に関して記述したノード１０４の実現を含んでいてもよく、図３に関して記述するようなネットワーク３００において実現されてもよく、図４に関して記述するフェムトノード４１０にしたがって実現されてもよい。以下の説明は、フェムトノード２１０に関して行うことにするが、当業者は、図５において図示され、および、これらに関して記述されるフェムトノードが、代わりにまたは追加的に、フェムトノード２１２において実現されてもよいことを理解するだろう。
【００６３】
フェムトノード２１０は、送信モジュール５０２を備えていてもよい。送信モジュール５０２は、１つ以上のユーザデバイスに対してデータを送信するように構成されていてもよい。例えば、送信モジュール５０２は、データ源４０２からのデータ、記憶モジュール５０４に記憶されているデータ、または、他の何らかの源からのデータを、ユーザ装置２２２に送信するように構成されていてもよい。いくつかの実施形態では、送信モジュール５０２は、別のノード、例えば、フェムトノード２１２および／またはマクロノード２０５に対してデータを送信するように構成されている。送信モジュール５０２は、例えば、図２に図示したようにワイヤレスに、および／または、ワイヤレスヤードネットワークを通して、データを送信するように構成されていてもよい。
【００６４】
送信モジュール５０２は、例えば、上に記述したように、ビーコンまたはパイロット信号をブロードキャストするように、さらに構成されていてもよい。ビーコンまたはパイロット信号は、複数のチャネルを通してブロードキャストされてもよく、専用チャネル、例えば、共通パイロットチャネル（ＣＰＩＣＨ）を通してブロードキャストされてもよい。パイロット、または、ユーザデータもしくは他の何らかの信号のような他の何らかの通信が、ブロードキャストまたは送信される電力は、送信モジュール５０２と通信している電力調整ユニット５０６によって決定され、調整されてもよい。
【００６５】
送信モジュール５０２は、トランシーバ４２２Ａ−４２２Ｔ、ＴＸデータプロセッサ４１４、ＴＸ ＭＩＭＯプロセッサ４２０、および、プロセッサ４３０の１つ以上の送信機部分のうちの１つを使用して、または、トランシーバ４２２Ａ−４２２Ｔ、ＴＸデータプロセッサ４１４、ＴＸ ＭＩＭＯプロセッサ４２０、および、プロセッサ４３０の１つ以上の送信機部分の組み合わせを使用して、実現されてもよい。いくつかの実施形態では、送信モジュール５０２は、アンテナおよびトランシーバを備える。トランシーバは、ＵＥ２２２に向かっているアウトバウンドのワイヤレスメッセージを変調するように構成されていてもよい。メッセージは、アンテナ、例えば、アンテナ４２４Ａ−４２４Ｔのうちの１つ以上を介して送信されてもよい。アンテナは、１つ以上のキャリアおよび１つ以上のチャネルを通して、ＵＥ２２２と通信するように構成されていてもよい。ワイヤレスメッセージは、音声および／またはデータのみの情報を含んでいてもよい。いくつかの実施形態では、送信モジュール５０２は、ワイヤード接続を通して通信を送信するように構成されている。送信モジュール５０２は、モデムをさらに備えていてもよい。モデムは、ネットワーク２４０に向かっているアウトバウンドのワイヤードメッセージを変調するように構成されていてもよい。
【００６６】
上に記述したように、記憶モジュール５０４は、送信のためにデータを記憶するように構成されていてもよい。記憶モジュール５０４はまた、他のデータまたは情報、例えば、システムパラメータまたは制御情報を記憶するように構成されていてもよい。記憶されたデータまたは情報は、情報、ビット、シンボル、または、他のデータもしくは表現を含んでいてもよい。記憶モジュール５０４は、図４に関して上で記述したメモリ４３２を使用して実現されてもよい。いくつかの実施形態では、記憶モジュール５０４は、データを記憶するように構成されている、データバッファまたはメモリアレイ、または、他のデータ構造を含む。記憶モジュール５０４は、複数のこれらのエレメントも含んでもよい。記憶モジュール５０４が送信するためのデータを記憶するように構成されている場合、記憶モジュール５０４は、いくつかの源からのデータを受け取ってもよい。例えば、データは、図４に関して記述した、データ源４１２および／またはプロセッサ４３０によって発生されてもよく、または、データ源４１２および／またはプロセッサ４３０から受け取られてもよく、例えば、トランシーバ４２２Ａ−４２２Ｔのうちの１つ以上を使用して、受け取られたように、受け取られた情報から部分的に導出されてもよい。
【００６７】
記憶モジュール５０４は、異なるレベルが、異なる容量およびアクセス速度を有するマルチレベル階層的キャッシュを含む、処理モジュールキャッシュを備えていてもよい。記憶モジュール５０４はまた、ランダムアクセスメモリ（ＲＡＭ）、他の揮発性ストレージデバイス、または、不揮発性ストレージデバイスも備えてもよい。ストレージは、ハードドライブ、コンパクトディスク（ＣＤ）またはデジタルビデオディスク（ＤＶＤ）のような光学ディスク、フラッシュメモリ、フロッピー（登録商標）ディスク、磁気テープ、および、Ｚｉｐドライブを含んでもよい。
【００６８】
上に記述したように、電力調整モジュール５０６は、送信モジュール５０２から信号が送信される電力を調整するように構成されていてもよい。電力調整モジュール５０６は、受信モジュール５０８を使用して受信された情報、例えば、送信モジュール５０２を使用して送信された信号の受信から導出された測定値を示す情報、または、関連する統計に少なくとも部分的に基づいて、電力を調整するように構成されていてもよい。電力調整モジュール５０６は、ネットワークリッスンモジュール５１０によって決定された情報に基づいて、電力を調整するようにさらに構成されていてもよい。
【００６９】
いくつかの実施形態において、フェムトエリア２１５全体にわたって、信号が適切に受信されるように、電力調整モジュール５０６は、送信モジュール５０２からの信号を送信するのに使用される電力を調整する。これは、例えば、信号のパス損失を示す情報、または、信号の強度を示す情報に基づいて決定されてもよい。いくつかの実施形態において、信号が、マクロノード２０５およびフェムトノード２１２からの通信を受信するＵＥと干渉しないように、電力調整モジュール５０６は、送信モジュール５０２からの信号を送信するのに使用される電力をさらに調整する。したがって、信号が、フェムトエリア２１５の外部のロケーションにおける信号の受信を干渉することなく、フェムトエリア２１５全体にわたって受信される尤度を増加させるように、電力調整モジュール５０６は、送信モジュール５０２を使用して信号を送信するのに使用される電力を、増加または減少させるように構成されていてもよい。
【００７０】
当業者は、ソフトウェア、ハードウェア、または、これらの両方を含んでもよい、さまざまな回路、チップ、モジュール、および／または、コンポーネントが、電力調整モジュール５０６を実現するのに使用されてもよいことを認識するだろう。電力調整モジュール５０６は、図４において図示したプロセッサ４３０中で、部分的に、または、全体的に、実現されてもよい。
【００７１】
受信モジュール５０８は、１つ以上のＵＥからデータを受信するように構成されていてもよい。例えば、受信モジュール５０８は、図２に図示したＵＥ２２２からのデータを受信するように構成されていてもよい。いくつかの実施形態では、フェムトノード２１０を介して通信しているＵＥは、ホームユーザ装置（ＨＵＥ）として呼ばれてもよく、また、何らかのフェムトノード、例えば、フェムトノード２１０および／またはフェムトノード２１２を介して通信しているＵＥは、フェムトユーザ装置として呼ばれてもよい。いくつかの実施形態では、受信モジュール５０６は、別のノード、例えば、フェムトノード２１２および／またはマクロノード２０５からの信号を受信するように構成されている。いくつかの実施形態では、受信モジュール５０８は、例えば、フェムトノード２１２および／またはマクロノード２０５からの統計を受信するように構成されている。受信モジュール５０８は、例えば、図２に図示したようにワイヤレスに、および／または、ワイヤレスヤードネットワークを通して、データを受信するように構成されていてもよい。
【００７２】
１つの実施形態において、受信モジュール５０８は、ブロードキャストビーコンまたはパイロット信号を受信するように構成されている。上で記述したように、ビーコンまたはパイロット信号は、複数のチャネルを通してブロードキャストされてもよく、専用チャネル、例えば、共通パイロットチャネル（ＣＰＩＣＨ）を通してブロードキャストされてもよい。受信モジュール５０８は、トランシーバ４２２Ａ−４２２Ｔ、復調器４４０、ＲＸデータプロセッサ４４２、および、プロセッサ４３０の１つ以上の受信機部分のうちの１つを使用して、または、トランシーバ４２２Ａ−４２２Ｔ、復調器４４０、ＲＸデータプロセッサ４４２、および、プロセッサ４３０の１つ以上の受信機部分の組み合わせを使用して、実現されてもよい。いくつかの実施形態では、受信モジュール５０８は、アンテナおよびトランシーバを備える。トランシーバは、ＵＥ２２２から到来しているインバウンドのワイヤレスメッセージを復調するように構成されていてもよい。メッセージは、アンテナを介して受信されてもよい。アンテナは、１つ以上のキャリアおよび１つ以上のチャネルを通して、ＵＥ２２２と通信するように構成されていてもよい。ワイヤレスメッセージは、音声および／またはデータのみの情報を含んでいてもよい。受信モジュール５０８は、受信されたデータを復調してもよい。いくつかの実施形態では、受信モジュール５０８は、ワイヤード接続を通して通信を送信するように構成されている。受信モジュール５０８は、モデムをさらに備えていてもよい。モデムは、ネットワーク２４０から到来しているインバウンドのワイヤードメッセージを復調するように構成されていてもよい。
【００７３】
ネットワークリッスンモジュール５１０は、受信モジュール５０８によって受信される信号を測定するように構成されていてもよく、または、フェムトノード２１０においてワイネットワークの状況を検出するように構成されていてもよい。いくつかの実施形態では、ネットワークリッスンモジュール５１０は、受信された信号に基づいて、ＷＣＤＭＡ、ＧＳＭ、ＴＤ−ＳＣＤＭＡ、または、他のネットワークを識別するように構成されている。いくつかの実施形態では、ネットワークリッスンモジュール５１０は、“スニッファー”として呼ばれる。当業者は、ソフトウェア、ハードウェア、または、これらの両方を含んでもよい、さまざまな回路、チップ、モジュール、および／または、コンポーネントが、ネットワークリッスンモジュール５１０を実現するのに使用されてもよいことを認識するだろう。ネットワークリッスンモジュール５１０は、図４において図示したプロセッサ４３０中で、部分的に、または、全体的に、実現されてもよい。
【００７４】
予め周知のシステムにおいて、フェムトノードの受信機は、その中でフェムトノードが位置しているマクロエリアを担当するマクロノードからの信号、例えば、ビーコン信号を受信するように構成されているだろう。図２に図示したネットワーク２００において、受信機は、マクロノード２０５によって送信されたビーコンを受信するだろう。これらの受信されたビーコンは、フェムトノードのネットワークリッスンモジュールに送出され、これは、ビーコンのパイロットの強度を測定するだろう。マクロノード２０５から送信され、ネットワークリッスンモジュール中で決定されたビーコンの測定値を使用して、送信信号の電力が決定されるだろう。したがって、周知のシステムにおいて、フェムトノードの送信電力は、近くのマクロノードから受信された信号に基づいて、干渉を減少させるために調整されるだろう。これらの受信信号は、その中でフェムトノードが動作しているネットワーク環境を示しているフェムトノードによって解釈されるだろう。当業者は、パイロット信号が、ビーコン信号とは独立して受信されてもよいことを認識するだろう。ネットワーク２００のいくつかの構成では、パイロット信号とビーコンの両方が利用される。ネットワーク２００の他の構成において、パイロット信号だけが利用される。
【００７５】
マクロノードから受信されたビーコンからの送信電力を決定することは、多くの状況において、不十分であるかもしれない。例えば、従来の周知のシステムにおいて、フェムトノードが、家の窓の近くに配置されているとき、ネットワークリッスンモジュールは、家の内部に存在するときよりも、窓において、より高い干渉を検出するかもしれない。フェムトノードは、窓において検出された干渉を克服しようとするだろうから、フェムトノードが通信するＵＥが、家の内部に位置している場合、フェムトノードは、必要とされるよりも大きい電力を有する信号を送信するだろう。この不必要な高電力で送信することは、フェムトノードからの信号が受信されるエリアを増加させるかもしれない。このような方法で、エリアを増加させることは、フェムトノードからの信号が、家の中の意図されるカバレッジエリアの外側に漏れることや、そのフェムトノードと通信していないＵＥに干渉することをもたらすかもしれない。さらに、この不必要に高い電力で送信することは、バッテリまたは別の独立電源によって電力供給されているフェムトノードの利用可能な動作時間を減少させるかもしれない。
【００７６】
別の例として、従来の周知のシステムにおいて、フェムトノードが、家の地価に位置しているとき、ネットワークリッスンモジュールは、家の残りの部分の内部に存在するものよりも、地下において、より低い干渉を検出するかもしれない。フェムトノードが通信するＵＥが、地下から遠くに位置している場合、フェムトノードはＵＥもまた低い干渉を経験しているとして決定するだろうから、フェムトノードは、必要とされるよりも低い電力で信号を送信するだろう。この減少された電力で送信することは、フェムトノードからの信号が受信されるエリアを縮小させるかもしれず、これは、フェムトノードから送信された信号の、不十分な受信をもたらすかもしれない。この状況において、そのフェムトノードと通信していないＵＥと悪く干渉することのない送信電力を依然として維持しながら、適切な受信を確保するために、より高い電力において、フェムトノードが送信することが可能であってもよい。
【００７７】
ここで記述するいくつかの実施形態において、他方、フェムトノード２１０は、例えば、送信モジュール５０２を使用して、フェムトノード２１０から送信された信号の測定値を示す情報を、例えば、受信モジュール５０８を使用して、受信するように構成されている。この情報は、例えば、ＵＥ２２２のような、フェムトエリア２１５中に位置しているＵＥから受信されてもよい。電力調整モジュール５０６によって、信号の送信電力を調整するために、情報が使用されてもよい。このようにして、フェムトノード２１０は、フェムトエリア２１５中で信号を受信しているＵＥからの情報を利用してもよい。いくつかの実施形態では、フェムトノード２１０は、信号を受信および測定した別のフェムトノード、例えば、フェムトノード２１２から同様の情報を受信してもよい。
【００７８】
いくつかの実施形態では、フェムトノード２１０から送信された信号の測定値を示す情報が、受信ＵＥからリモートフェムトノードに対して通信されてもよい。例えば、ＵＥ２２１が、フェムトエリア２１５にきわめて接近している、フェムトエリア２１７の境界近くに位置しているとき、ＵＥ２２１は、フェムトノード２１０からの信号を検出して、その信号の測定値を示す情報を、フェムトノード２１２に対して送信してもよい。フェムトノード２１２は、次に、例えば、ワイヤードまたはワイヤレスリンクを通して、フェムトノード２１０に対して直接情報を送信してもよく、あるいは、ネットワーク２４０および／またはマクロノード２０５を介して、フェムトノード２１０に対して、情報を送信してもよい。１つの実施形態では、フェムトノード２１２は、フェムトノード２１０によって送信された信号に関しての、複数のＵＥからの通信に基づいて、統計を決定し、統計をフェムトノード２１０に対して送信する。
【００７９】
いくつかの実施形態では、フェムトノード２１０から送信された信号の測定値を示す情報が、受信ＵＥからマクロノードに対して、同様に通信されてもよい。例えば、ＵＥ２２０が、フェムトエリア２１５にきわめて接近して位置しているとき、ＵＥ２２０は、フェムトノード２１０からの信号を検出して、その信号の測定値を示す情報を、マクロノード２０５に対して送信する。マクロノード２０５は、例えば、直接もしくはバックホールを通して間接的に、ワイヤードもしくはワイヤレスリンクを介して、フェムトノード２１０に対して、同様に情報を送信する。１つの実施形態では、マクロノード２０５は、フェムトノード２１０によって送信された信号に関しての、複数のＵＥからの通信に基づいて、統計を決定し、統計をフェムトノード２１０に対して送信する。
【００８０】
いくつかの実施形態では、マクロノード２０５から送信された信号の測定値を示す情報が、フェムトノード２１０に対して通信されてもよい。情報は、フェムトノード２１０によって担当されているＵＥから、フェムトノード２１０に対して送信されてもよい。例えば、ＵＥ２２２が、フェムトエリア２１５の周辺近くにいるとき、それは、マクロノード２０５からの信号を受信して、信号の測定値を示す情報を、フェムトノード２１０に対して、通信してもよい。代わりに、ＵＥがフェムトエリア２１５の周辺近くにいるとき、例えば、ＵＥ２２０によって、情報がマクロノード２０５に対して送信されてもよく、後で、フェムトノード２１０に対して通信されてもよい。マクロノード２０５の信号のこの測定を、フェムトノード２１０によって使用して、例えば、フェムトエリア２１５の周辺におけるネットワーク条件を、より正確に決定してもよい。したがって、フェムトノード２１０は、ネットワークリッスンモジュール５１０中で行われる測定値にだけ基づいて仮定を行うことの代わりに、フェムトエリア２１５全体にわたっての環境を、より正確に決定することができてもよい。
【００８１】
引き続いて図５を参照して、フェムトノード２１０は、登録ユニット５１２をさらに備えていてもよい。登録ユニット５１２は、フェムトノード２１０を使用して通信することを許可されている１つ以上のＵＥを識別する情報を含んでいてもよい。１つの実施形態では、登録ユニット５１２中の情報によって識別されるＵＥは、上で説明したようなＣＳＧ、または、クローズドユーザグループ（ＣＵＧ）を含む。クローズドフェムトノードに対して、登録ユニット５１２中で識別されたＵＥだけが、送信モジュール５０２および受信モジュール５０８の使用を通して、他のＵＥと通信することを許可されている。したがって、マクロエリア２３０および／またはフェムトエリア２１７中のＵＥは、フェムトノード２１０によって送信された信号を検出するかもしれず、フェムトノード２１０との登録を要求するかもしれないが、これらのＵＥは、それらが登録ユニット５１２中で識別されない限り、フェムトノード２１０に登録することを許容されないだろう。
【００８２】
いくつかの実施形態では、登録ユニット５１２は、記憶モジュール５０４の一部として実現されてもよく、または、この逆であってもよい。他の実施形態では、登録ユニット５１２は、記憶モジュール５０４と連携して動作し、例えば、記憶モジュール５０４中に記憶された情報に少なくとも部分的に基づいて、登録されたＵＥを識別する。登録モジュール中の、ＵＥを識別する情報は、ビット、シンボル、または、他の情報もしくは表現を含んでいてもよい。登録ユニット５１２は、図４に関して上で記述したメモリ４３２を使用して実現されてもよい。いくつかの実施形態では、登録ユニット５１２は、データを記憶するように構成されている、データバッファもしくはメモリアレイ、または、他のデータ構造を備える。例えば、登録ユニット５１２は、登録されているＵＥに対する、一意的な識別子またはデバイスＩＤを記憶するテーブルを備えていてもよい。デバイスＩＤは、装置を識別するのに使用されてもよい何らかの数の識別子を含んでいてもよい。例えば、デバイスＩＤは、シリアル番号、電話番号、移動体識別番号（ＭＩＮ）、電子的シリアル番号（ＥＳＮ）、国際移動体装置識別子（ＩＭＥＩ）、国際移動体加入者識別子（ＩＭＳＩ）、または、装置を識別するのに使用されてもよい、他の何らかの識別子を含んでいてもよい。登録ユニット５１２は、複数のこれらのエレメントもまた、含んでいてもよい。
【００８３】
登録ユニット５１２は、異なるレベルが異なる容量およびアクセス速度を有するマルチレベル階層的キャッシュを含む、処理モジュールキャッシュを備えていてもよい。登録ユニット５１２はまた、ランダムアクセスメモリ（ＲＡＭ）、他の揮発性ストレージデバイス、または、不揮発性ストレージデバイス、および／または、ＵＥを識別するように構成されている、もしくは、ＵＥが登録ユニット中で識別されないことを決定するように構成されている処理回路も備えてもよい。例えば、登録ユニット５１２は、プロセッサ４３０、または、これらの一部を含んでいてもよい。登録ユニット５１２中のストレージは、ハードドライブ、コンパクトディスク（ＣＤ）またはデジタルビデオディスク（ＤＶＤ）のような光学ディスク、フラッシュメモリ、フロッピーディスク、磁気テープ、および、Ｚｉｐドライブを含んでもよい。
【００８４】
いくつかの実施形態では、フェムトノード２１０は、不成功に終わった登録の試みに基づいて、送信電力を調整するように構成されている。例えば、ＵＥからの登録の要求が、例えば、受信モジュール５１８によって受信されてもよい。例えば、登録ユニット５１２を使用することによって、ＵＥがフェムトノード２１０に登録されていないことを決定した後で、例えば、電力調整モジュール５０６を使用することによって、送信電力が調整されてもよい。いくつかの実施形態では、送信モジュール５０２を使用して信号を送信するための電力は、登録ユニット５１２中で識別されないＵＥから受信された、複数の登録の要求に基づいて、または、そこから計算された統計に基づいて、電力調整モジュール５０６によって調整される。いくつかの状況では、不適切な登録の試みは、例えば、フェムトエリア２１５の周辺における過剰な干渉を示すものである。例として、フェムトノード２１０に登録されていない、いくつかのＵＥが、フェムトノード２１０からのサービスを要求した場合、これらのＵＥは、フェムトノード２１０を、最も強い送信源として識別しているかもしれず、フェムトノード２１０は、あまりに大きすぎる電力で送信しているかもしれない。
【００８５】
図６は、図２の通信ネットワークのうちの１つにおける第２の例示的なユーザ装置２２２の機能的ブロック図である。上に記述したように、ＵＥ２２２は、図１に関して記述したノード１０６の実現を含んでもよく、および／または、図４に関して記述したＵＥ４５０にしたがって実現されてもよい。以下の記述は、ＵＥ２２２に関して行うことにするが、当業者は、図６に図示し、これに関して記述するＵＥが、追加的に、または、代わりに、ＵＥ２２０および２２１のいずれか、または、ＵＥ２２０および２２１の両方において実現されてもよいことを理解するだろう。
【００８６】
ＵＥ２２２は、受信モジュール６０２を含んでもよい。受信モジュールは、フェムトノードおよび／またはマクロノードからの信号を受信するように構成されていてもよい。例えば、受信モジュール６０２は、図２に図示したフェムトノード２１０および／またはマクロノード２０５からの信号を受信するように構成されていてもよい。信号は、上に記述したように、ビーコンまたはパイロットを含んでもよく、あるいは、ＵＥ２２２に対して送信されているデータを含んでもよい。上で記述したように、ビーコンまたはパイロット信号は、複数のチャネルを通して受信されてもよく、専用チャネル、例えば、共通パイロットチャネル（ＣＰＩＣＨ）を通して受信されてもよい。同様に、データは１つ以上のチャネルを通して受信されてもよい。例えば、ＵＥがアクティブな通話中であるとき、信号は音声データを含んでいてもよい。受信モジュール６０２は、例えば、図２に図示したように、ワイヤレスにデータを受信するように構成されていてもよい。
【００８７】
１つの実施形態では、受信モジュール６０２は、ブロードキャストビーコンまたはパイロット信号を受信するように構成されている。受信モジュール６０２は、トランシーバ４５４Ａ−４５４Ｒ、ＲＸデータプロセッサ４６０、および、プロセッサ４７０の１つ以上の受信機部分のうちの１つを使用して、または、トランシーバ４５４Ａ−４５４Ｒ、ＲＸデータプロセッサ４６０、および、プロセッサ４７０の１つ以上の受信機部分の組み合わせを使用して実現されてもよい。いくつかの実施形態では、受信モジュール６０２は、アンテナおよびトランシーバを備える。トランシーバは、フェムトノード２１０、フェムトノード２１２、および／または、マクロノード２０５から到来しているインバウンドワイヤレスメッセージを復調するように構成されていてもよい。メッセージは、アンテナを介して受信されてもよい。アンテナは、１つ以上のキャリアおよび１つ以上のチャネルを通して、フェムトノード２１０、フェムトノード２１２、および／または、マクロノード２０５と通信するように構成されていてもよい。ワイヤレスメッセージは、音声および／またはデータのみの情報を含んでいてもよい。受信モジュール５０８は、受信されたデータを復調してもよい。いくつかの実施形態では、受信モジュール５０８は、ワイヤード接続を通して通信を送信するように構成されている。
【００８８】
ＵＥ２２２は、信号測定モジュール６０４をさらに備えていてもよい。信号測定モジュールは、例えば、受信モジュール６０２を使用して、受信信号の測定値を、計算するように構成されていてもよい。いくつかの実施形態では、信号測定モジュール６０４は、信号の強度、干渉、パス損失、および／または、漏出を決定するように構成されている。例えば、信号測定モジュールは、信号の受信信号コード電力（ＲＳＣＰ）を決定するように構成されていてもよい。いくつかの実施形態では、信号測定モジュール６０４は、パイロット信号の測定値を計算するように構成されていてもよい。例えば、信号測定モジュール６０４は、パイロット信号のチップ毎エネルギー対総受信電力スペクトル深度（Ｅc／Ｉo）を計算するように構成されていてもよい。当業者は、ソフトウェア、ハードウェア、または、これらの両方を含んでもよい、さまざまな回路、チップ、モジュール、および／または、コンポーネントが、信号測定モジュール６０４を実現するのに使用されてもよいことを認識するだろう。信号測定モジュール６０４は、図４において図示したプロセッサ４３０中で、部分的に、または、全体的に、実現されてもよい。
【００８９】
ＵＥ２２２は、登録モジュール６０６をさらに備えていてもよい。登録モジュールは、あるノード、例えば、フェムトノード２１０を介して通信するための、または、そのノードに登録するための要求を発生させるように構成されていてもよい。要求は、送信モジュール６０８によって送信されてもよい。登録モジュール６０６は、ハンドオフが望ましいとき、または、ＵＥ２２２が電源オンされた後、第１の時間に対するサービスを要求するときに、登録要求を発生させるように構成されていてもよい。いくつかの実施形態では、登録モジュール６０６は、信号測定モジュール６０４からの測定値に基づいて、そこから登録を要求すべきノードを決定する。例えば、受信モジュール６０２によって、いくつかのノードからの信号が受信された場合、登録モジュール６０６は、最も高い信号対雑音比（ＳＮＲ）で受信された信号を送信した何らかのノードを介して、ＵＥ２２２が通信すべきであることを決定してもよい。最も高いＳＮＲで受信された信号を送信したノードを介して、ＵＥ２２２が、目下、通信していない場合、登録モジュール６０６は、そのノードに登録するための要求を発生させてもよい。より高いＳＮＲのこの識別は、ハンドオフ条件を含んでいてもよく、このハンドオフ条件については上で記述した。信号測定モジュール６０４からの信号の測定値を示す情報は、要求とともに送信されてもよい。
【００９０】
いくつかの実施形態では、ＵＥ２２２がそのノードを介して通信することを許容されていることを登録モジュール６０６が識別できる場合にのみ、登録モジュール６０６は、そのノードに登録する要求を発生させるように構成されている。いくつかの実施形態では、ＵＥ２２２は、例えば、記憶モジュール６１０中に、１組の許容されたノードを記憶するように構成されていてもよく、登録モジュール６０６は、そのノードが、１組の許容されたノード中のノードとして識別できる場合にのみ、ノードに登録を要求するように構成されていてもよい。例えば、１組の許容されたノードは、フェムトノード２１０、および、すべてのマクロノードを含んでもよい。ＵＥ２２２が、最初に、マクロエリア２３０に位置しており、後で、フェムトエリア２１０に入った場合、登録モジュール６０６は、フェムトノード２１０からの信号を識別して、フェムトエリア２１０に登録しようと試みてもよい。別の例として、フェムトノード２１２は、クローズドフェムトノードであってもよく、ＵＥ２２２は、フェムトノード２１２のＣＳＧの一部ではないかもしれない。ＵＥ２２２が、フェムトエリア２１５からフェムトエリア２１７へと移動した場合、たとえ受信モジュール６０２がフェムトノード２１２からのパイロット信号を受信していたとしても、登録モジュール６０６は、フェムトノード２１２を介して通信することを要求することを差し控えてもよい。
【００９１】
いくつかの実施形態では、登録モジュール６０６は、干渉条件が検出されたときに、例えば、送信モジュール６０８を使用して、ノードに送信するための干渉通信を発生させるように構成されていてもよい。干渉条件は、信号測定モジュール６０４からの測定値に基づいて決定されてもよい。例えば、別のノードによって送信されている信号からの干渉のために、ＵＥ２２２のホームノードからのパイロット信号のパス損失が、あるしきい値を上回ったときに、干渉条件が識別されてもよい。干渉通信は、干渉ノードにアドレスされている、無線（ＯＴＡ）メッセージを含んでいてもよい。いくつかの実施形態では、この通信は、ＵＥ２２２が干渉ノードを介して通信することを許容されていないことを、登録モジュール６０６が識別するときだけに、発生され、および／または送信される。干渉通信は、ランダムアクセスチャネル（ＲＡＣＨ）手続を使用して送られてもよく、干渉ノードから受信された信号に対するＥc／ＩoまたはＲＳＣＰを含んでいてもよい。当業者は、ＵＥ２２２が干渉ノードを介して通信することを許容されている場合、ＵＥ２２２は、単に干渉ノードに登録してもよく、そのノードと通信の間に、干渉ノードに対して干渉測定を送信してもよい。しかしながら、ＵＥ２２２が干渉ノードと通信することを許容されていないとき、干渉ノードが通信に肯定応答することや、または、ＵＥ２２２に対して通信を向けることを当てにしないで、特別な干渉通信が干渉ノードに送られてもよい。
【００９２】
登録モジュール６０６は、何らかの数の方法または技術を使用して、異なるネットワーク間を識別および区別してもよい。いくつかの実施形態では、それぞれのパイロット信号は、オフセット擬似ノイズ（ＰＮ）ショートコードのような、物理層識別子を含み、これを使用して、どのノードがパイロットを送信したかを識別してもよい。他の実施形態では、ノードは、ロケーションエリアコード（ＬＡＣ）によって識別されてもよい。例えば、ネットワーク２００中のそれぞれのフェムトノードは、一意的なＬＡＣによって識別されてもよい。マクロノードは、追加的に、一意的なＬＡＣによって識別されてもよく、または、いくつかの実施形態では、１つ以上の他のマクロノードとともに、ＬＡＣを共有してもよい。当業者は、送信しているノード、または、送信しているノードのネットワークを識別するのに使用されてもよい、他の方法または技術を認識するだろう。
【００９３】
いくつかの実施形態では、ＵＥ２２２がフェムトノードにアクセスすることを許容されているか否かを決定するために、登録モジュール６０６は、フェムトノードのシステム情報ブロードキャスト（ＳＩＢ）のようなＬ３オーバーヘッドメッセージを読み出してもよい。これらのＬ３オーバーヘッドメッセージは、フェムトノードによって定期的にブロードキャストされてもよく、受信モジュール６０２を使用して、受信されてもよい。システム情報は、ＣＳＧ ＩＤおよび／またはセルＩＤのような識別情報を含んでいてもよく、これは、フェムトノードを一意的に識別する。システム情報は、フェムトノードの（例えば、クローズド、オープン、または、ハイブリッド）アクセスモードの表示をさらに含んでいてもよい。したがって、登録モジュール６０６は、それがフェムトノードにアクセスできるか否かを決定でき、また、どのように一意的にフェムトノードを識別するかを決定できる。例えば、この情報を、許容されているフェムトノードまたは許容されているセルの記憶されている組とともに、組み合わせて使用してもよい。
【００９４】
当業者は、ソフトウェア、ハードウェア、もしくは、両方のいずれかを含んでもよい、さまざまな回路、チップ、モジュール、および／または、コンポーネントが、登録モジュール６０６を実現するのに使用されてもよいことを認識するだろう。登録モジュール６０６は、図４に図示されたプロセッサ４７０中で、部分的にまたは全体的に実現されてもよい。
【００９５】
上に記述したように、送信モジュール６０８は、例えば、フェムトノード２１０および／またはマクロノード２０５のようなノードに対して、メッセージまたは通信を送信するように構成されていてもよい。上に記述したように、送信モジュール６０８は、ノードに対する登録の要求、および／または、干渉通信を送信するように構成されていてもよい。送信モジュール６０８は、信号測定モジュール６０４からの測定値、または、それを示す情報を、送信するように構成されていてもよい。いくつかの実施形態では、送信モジュールは、データを送信するように構成されていてもよく、別のＵＥに対して通信を送信するように構成されていてもよい。送信モジュール６０８は、信号測定モジュール６０４からの情報、登録モジュール６０６からの通信、記憶モジュール６１０中に記憶されているデータ、データ源４３６からのデータ、または、他の源からのデータを送信するように構成されていてもよい。送信モジュール６０６は、例えば、図２に図示したように、ワイヤレスにデータを送信するように構成されていてもよい。
【００９６】
送信モジュール６０６は、トランシーバ４５４Ａ−４５４Ｒ、変調器４８０、ＴＸデータプロセッサ４３８、および、プロセッサ４７０のうちの１つ、または、これらの組み合わせを使用して、実現されてもよい。いくつかの実施形態では、送信モジュール６０６は、アンテナおよびトランシーバを含む。トランシーバは、マクロノード２０５、フェムトノード２１０、および／または、フェムトノード２１２に向かっているアウトバウンドのワイヤレスメッセージを変調するように構成されていてもよい。メッセージは、アンテナ、例えば、アンテナ４５２Ａ−４５２Ｒのうちの１つ以上を介して送信されてもよい。アンテナは、１つ以上のキャリアおよび１つ以上のチャネルを通して、マクロノード２０５、フェムトノード２１０、および／または、フェムトノード２１２と通信するように構成されていてもよい。ワイヤレスメッセージは、音声および／またはデータのみの情報を含んでいてもよい。
【００９７】
上に記述したように、記憶モジュール６１０は、例えば、送信モジュール６０８を使用して、送信のためのデータを記憶するように構成されていてもよい。記憶モジュール６１０はまた、他のデータまたは情報、例えば、送信ノードを識別するための情報や、ＵＥ２２２が登録することを許容されている１組のノードに関する情報や、または、好ましいノードを識別するための情報を記憶するように構成されていてもよい。１つの実施形態では、ＵＥ２２２が属しているＣＳＧを識別するための情報が、記憶モジュール６１０中の表において記憶されている。記憶されているデータまたは情報は、情報、ビット、シンボル、または、他のデータもしくは表現の何らかの組み合わせを含んでいてもよい。記憶モジュールは、図４に関して上で記述したメモリ４７２を使用して、実現されてもよい。いくつかの実施形態では、記憶モジュール６１０は、データまたは情報を記憶するように構成されている、データバッファもしくはメモリアレイ、または、他のデータ構造を含む。記憶モジュール６１０は、複数のこれらのエレメントも含んでもよい。
【００９８】
記憶モジュール６１０は、異なるレベルが異なる容量およびアクセス速度を有するマルチレベル階層的キャッシュを含む、処理モジュールキャッシュを備えていてもよい。記憶モジュール６１０はまた、ランダムアクセスメモリ（ＲＡＭ）、他の揮発性ストレージデバイス、または、不揮発性ストレージデバイスも備えてもよい。ストレージは、ハードドライブ、コンパクトディスク（ＣＤ）またはデジタルビデオディスク（ＤＶＤ）のような光学ディスク、フラッシュメモリ、フロッピーディスク、磁気テープ、および、Ｚｉｐドライブを含んでもよい。
【００９９】
図７は、図２の通信ネットワークのうちの１つにおける例示的なマクロノード２０５の機能的ブロック図である。上に記述したように、マクロノード２１０は、図１に関して記述したノード１０４の実現を含んでいてもよく、および／または、図３に関して記述したようなネットワーク３００において実現されてもよい。いくつかの実施形態では、マクロノード２０５は、図４に図示したフェムトノード４１０に関して記述したものと同様のコンポーネントを使用して実現されてもよい。
【０１００】
マクロノード２０５は、受信モジュール７０２を備えていてもよい。受信モジュール７０２は、１つ以上のＵＥからデータを受信するように構成されていてもよい。例えば、受信モジュール７０２は、図２に図示したＵＥ２２０からのデータを受信するように構成されていてもよい。いくつかの実施形態では、マクロノード２０５と通信しているＵＥは、マクロユーザ装置（ＭＵＥ）として呼ばれる。受信モジュール７０２は、ＵＥ２２０によって受信された信号の測定値を示すＵＥ２２０からの情報を受信するように構成されていてもよい。例えば、情報は、フェムトノード２１０からの、ＵＥ２２０によって受信されたパイロット信号の品質の測定値を含んでいてもよい。測定値は、上で記述した、例えば、図６に図示した信号測定モジュール６０４を記述したときのような、何らかの信号測定値を含んでいてもよい。受信モジュール７０２は、例えば、図２に図示したように、データをワイヤレスに受信するように構成されていてもよく、および／または、ワイヤードネットワークを通して受信するように構成されていてもよい。いくつかの実施形態では、受信モジュール７０２は、直接、または、バックホールもしくはネットワーク２４０を通してのいずれかで、フェムトノード、例えば、フェムトノード２１０および／または２１２からの通信を受信するように構成されていてもよい。
【０１０１】
受信モジュール７０２は、トランシーバ４２２Ａ−４２２Ｔ、復調器４４０、ＲＸデータプロセッサ４４２、および、プロセッサ４３０の１つ以上の受信機部分のうちの１つを使用して、または、トランシーバ４２２Ａ−４２２Ｔ、復調器４４０、ＲＸデータプロセッサ４４２、および、プロセッサ４３０の１つ以上の受信機部分の組み合わせを使用して、実現されてもよい。いくつかの実施形態では、受信モジュール７０２は、アンテナおよびトランシーバを備える。トランシーバは、ＵＥ２２２から到来しているインバウンドのワイヤレスメッセージを復調するように構成されていてもよい。メッセージは、アンテナを介して受信されてもよい。アンテナは、１つ以上のキャリアおよび１つ以上のチャネルを通して、ＵＥ２２０と通信するように構成されていてもよい。ワイヤレスメッセージは、音声および／またはデータのみの情報を含んでいてもよい。受信モジュール７０２は、受信されたデータを復調してもよい。受信モジュール７０２は、モデムをさらに備えていてもよい。モデムは、ネットワーク２４０から到来しているインバウンドのワイヤードメッセージを復調するように構成されていてもよい。
【０１０２】
マクロノード２０５は、統計モジュール７０４をさらに備えてもよい。統計モジュール７０４は、受信モジュール７０２を介して受信された情報から、統計を計算または決定するように構成されていてもよい。例えば、受信モジュール７０２が、受信された信号の測定値に関する複数の通信を受信するとき、統計モジュール７０４は、平均測定値を計算してもよい。いくつかの実施形態では、統計モジュール７０４は、そこから受信モジュール７０２が測定値を受信した、異なるデバイスの数を決定するように構成されていてもよい。例えば、受信モジュール７０２が、フェムトノードからの信号受信に関して、ＵＥ２２０からの２つの測定値と、ＵＥ２２１からの３つの測定値とを受信した場合、受信モジュール７０２は、測定値が、２つの一意的なＵＥから受信されたとして決定してもよい。統計を決定するための情報は、記憶モジュール７０６中に記憶されてもよい。統計モジュール７０４は、複数の通信からの情報を集約するように構成されていてもよい。例えば、特定の時間期間にわたって、受信モジュール７０２によって受信されたすべての測定値のリストが、統計モジュール７０４によって集約されてもよい。以下の記述は、統計モジュール７０４によって計算された統計に言及することにするが、当業者は、以下の記述は、統計モジュール７０４によって集められたデータの集約にも適用されてもよいことを認識するだろう。
【０１０３】
平均の測定値、または、他の統計が、定期的な間隔、または、特定の時間期間に対して、計算されてもよい。例えば、統計モジュール７０４は、過去の時間内に受信されたすべての測定値によって示されたＳＮＲのモードを決定するように構成されていてもよい。この測定値は、例えば、毎時に計算されてもよく、または、識別されたイベントの発生において計算されてもよい。例えば、統計モジュール７０４は、例えば、それに測定値が基づいている信号を送信しているノードからの要求の受信の際に、特定された時間フレーム内で受信されたすべての測定値からの平均信号品質を計算してもよい。いくつかの実施形態では、要求は、特定の時間フレームを含んでいてもよい。別の例として、統計モジュール７０４は、受信された測定値の数が、しきい値を超えたときを決定してもよく、次に、受信された測定値のうちから、平均または最大測定値のような統計を計算してもよい。
【０１０４】
いくつかの実施形態では、統計モジュール７０４は、例えば、記憶モジュール７０６中で、他のいくつかのノードに関する情報を維持するように構成されている。例えば、受信モジュール７０２は、フェムトノード２１０およびフェムトノード２１２の両方から送信された信号から計算された測定値を示す情報を受信してもよい。統計モジュール７０４は、それぞれのこれらのフェムトノードからの信号に対して行われた測定の間を区別して、それぞれのノード個別に対する統計を決定するように構成されていてもよい。当業者は、いくつかの実施形態における統計モジュール７０４は、集約において、いくつかのノードに対する、例えば、フェムトノード２１０およびマクロノード２０５に対する統計を計算するように構成されていてもよい。
【０１０５】
いくつかの実施形態では、予め規定された条件を満たさない測定値は、統計を計算するときに考慮されない。例えば、統計モジュール７０４は、あるしきい値を上回るＥc／Ｉoを有するフェムトノード２１０からの信号を受信したデバイスの数を決定するように構成されていてもよい。このしきい値を下回るＥc／Ｉoを示す測定値は、統計モジュール７０４によって無視されてもよい。同様に、所定のしきい値を下回るＳＮＲを示す、すべての測定値から、統計が計算されてもよい。
【０１０６】
いくつかの実施形態では、統計モジュール７０４は、分散を決定するように構成されていてもよい。例えば、統計モジュール７０４は、それぞれの複数の範囲において、ＲＳＣＰを持っているフェムトノード２１０からの信号を受信した一意的なデバイスの数を決定するように構成されていてもよい。したがって、統計モジュール７０４は、３つのデバイスが、−１００ｄＢｍから−９０ｄＢｍのＲＳＣＰを有する信号の受信をレポートし、６つのデバイスが、−９０ｄＢｍから−８０ｄＢｍのＲＳＣＰを有する信号の受信をレポートし、１つのデバイスが、−８０ｄＢｍから−７０ｄＢｍのＲＳＣＰを有する信号の受信をレポートしたことを決定してもよい。いくつかの実施形態では、統計モジュール７０４は、そこから受信モジュール７０２によって測定値が受信されたデバイスのタイプの間を区別するように構成されている。例えば、上で記述した分散において、統計モジュール７０４は、−９０ｄＢｍから−８０ｄＢｍのＲＳＣＰを有する信号を受信した６つのデバイスが、２つのフェムトノードと４つのＵＥからなることを決定してもよい。統計モジュール７０４は、何らかの数の方法または技術を使用して、例えば、周知のデバイスタイプのテーブルと、デバイスＩＤとを互いに関連付けることによって、デバイスの間を区別するように構成されていてもよい。
【０１０７】
当業者は、ソフトウェア、ハードウェア、または、これらの両方を含んでもよい、さまざまな回路、チップ、モジュール、および／または、コンポーネントが、統計モジュール７０４を実現するのに使用されてもよいことを認識するだろう。統計モジュール７０４は、図４において図示したプロセッサ４３０と同様のエレメント中で、部分的に、または、全体的に、実現されてもよい。
【０１０８】
上に記述したように、記憶モジュール７０６は、受信モジュール７０２を使用して受信された情報、および／または、統計を計算もしくは決定するために統計モジュール７０４によって使用される情報を記憶するように構成されていてもよい。記憶モジュール７０６は、例えば、送信モジュール７０８を使用して、送信のためにデータを記憶するようにさらに構成されていてもよい。記憶モジュール７０８はまた、当業者によって理解されることになるように、他のデータまたは情報を記憶するように構成されていてもよい。記憶モジュールは、図４に関して上で記述したメモリ４３２と同様のエレメントを使用して、実現されてもよい。いくつかの実施形態では、記憶モジュール７０６は、データまたは情報を記憶するように構成されている、データバッファ、メモリアレイ、または、他のデータ構造を含む。記憶モジュール７０６は、複数のこれらのエレメントも含んでもよい。
【０１０９】
記憶モジュール７０６は、異なるレベルが異なる容量とアクセス速度を有するマルチレベル階層的キャッシュを含む、処理モジュールキャッシュを備えていてもよい。記憶モジュール７０６はまた、ランダムアクセスメモリ（ＲＡＭ）、他の揮発性ストレージデバイス、または、不揮発性ストレージデバイスも備えてもよい。ストレージは、ハードドライブ、コンパクトディスク（ＣＤ）またはデジタルビデオディスク（ＤＶＤ）のような光学ディスク、フラッシュメモリ、フロッピーディスク、磁気テープ、および、Ｚｉｐドライブを含んでもよい。
【０１１０】
上に記述したように、送信モジュール７０８は、例えば、ＵＥ２２０に対して、データを送信するように構成されていてもよい。送信モジュール７０８はまた、統計モジュール７０４によって決定された統計、または、これを示す情報を、例えば、フェムトノード２１０のようなフェムトノードに対して送信するように構成されていてもよい。いくつかの実施形態では、送信モジュール７０８は、ワイヤレスリンクを通して、例えば、ＵＥ２２０に対して、メッセージを送信するように構成されている。いくつかの実施形態では、送信モジュール７０８は、ワイヤードリンクを通して、例えば、ネットワーク２４０に対してメッセージを送信するように構成されている。例えば、フェムトノード２１０のようなフェムトノードに送信されるときに、ＲＮＣを介して、および／または、ＲＡＮＡＰプロトコルを使用して、メッセージが通信されてもよい。１つの実施形態では、ＲＩＭ手続を利用して、バックホールを通して、メッセージが通信されてもよい。いくつかの従来の周知のシステムでは、移動体通信のためのグローバルシステム（ＧＳＭ）ネットワークと、ユニバーサル移動体電気通信システム（ＵＭＴＳ）ネットワークとの間で情報を通信するための無線アクセスネットワーク（ＲＡＮ）メカニズムが存在する。しかしながら、ここで記述するいくつかの実施形態では、２つのＵＭＴＳネットワークの間で通信するためのＲＡＮメカニズムを記述する。
【０１１１】
送信モジュール７０８は、トランシーバ４２２Ａ−４２２Ｔ、ＴＸデータプロセッサ４１４、ＴＸ ＭＩＭＯプロセッサ４２０、および、プロセッサ４３０の１つ以上の送信機部分に類似したエレメントのうちの１つ、または、トランシーバ４２２Ａ−４２２Ｔ、ＴＸデータプロセッサ４１４、ＴＸ ＭＩＭＯプロセッサ４２０、および、プロセッサ４３０の１つ以上の送信機部分に類似したエレメントの組み合わせを使用して、実現されてもよい。いくつかの実施形態では、送信モジュール７０８は、アンテナおよびトランシーバを備える。トランシーバは、ＵＥ２２０またはフェムトノード２１０に向かっているアウトバウンドのワイヤレスメッセージを変調するように構成されていてもよい。メッセージは、アンテナ、例えば、アンテナ４２４Ａ−４２４Ｔのうちの１つ以上に類似したアンテナを介して送信されてもよい。アンテナは、１つ以上のキャリアおよび１つ以上のチャネルを通して、ＵＥ２２０またはフェムトノード２１０と通信するように構成されていてもよい。ワイヤレスメッセージは、音声および／またはデータのみの情報を含んでいてもよい。送信モジュール７０８は、モデムをさらに備えていてもよい。モデムは、ネットワーク２４０に向かっているアウトバウンドのワイヤードメッセージを変調するように構成されていてもよい。
【０１１２】
図８は、ユーザ装置、例えば、ＵＥ２２２の例示的な通信の方法８００を図示する。以下では、ＵＥ２２２のエレメントに関して、方法８００を説明することにするが、当業者は、ここで記述するステップのうちの１つ以上を実現するのに、他のコンポーネントを使用してもよいことと、方法８００を他のデバイスによって実施してもよいこととを認識するだろう。
【０１１３】
ステップ８０２において、フェムトノードから信号が受信される。例えば、受信モジュール６０２は、フェムトノード２１０からのパイロット信号またはデータ通信を受信してもよい。信号は、ワイヤレスに受信されてもよく、ＵＥ２２２に向けられていてもよく、または、別のデバイスに対して向けられていて、ＵＥによって見受けられてもよい。
【０１１４】
ステップ８０４において、例えば、信号測定モジュール６０４によって、ステップ８０４において受信された信号に少なくとも部分的に基づいて、測定値が計算される。測定値は、上に記述した何らかの測定値であってもよい。例えば、測定値は、ＰＳＭＲ、または、ステップ８０２において受信されたパイロット、もしくは、Ｅc／Ｉoを含んでいてもよい。測定値は、一般的な信号品質または強度を示していてもよく、受信信号のパス損失を示していてもよい。測定値は、受信信号のＳＮＲ、または、信号の漏出もしくはフェージングを示す情報を含んでいてもよい。当業者は、ステップ８０４において、他の測定値が計算されてもよいことを認識するだろう。
【０１１５】
いくつかの実施形態では、ＵＥ２２２は、ステップ８０４において、統計を計算する。統計は、図７に関して上で記述した統計に類似していてもよい。例えば、信号測定モジュール６０４は、受信モジュール６０２において、フェムトノード２１０から受信された複数の信号からの平均測定値を計算するように構成されていてもよい。当業者は、ステップ８０４において、他の統計が計算されてもよいことを認識するだろう。
【０１１６】
ステップ８０６へと続いて、ステップ８０４において決定された測定値を示す情報が、ＵＥ２２２の担当ノードに対して送信される。ＵＥ２２２が他のデバイスと通信するために使用する担当ノードは、ステップ８０２において、そこからＵＥ２２２が信号を受信したフェムトノードと同一であってもよく、または、異なるノードであってもよい。例えば、図２において、フェムトエリア２１５内に位置しているとして、ＵＥ２２２を図示した。フェムトエリア２１５中にいる間、ＵＥ２２２は、フェムトノード２１０を担当ノードとして使用することによって、ＵＥ２２１と通信していてもよい。ＵＥ２２２は、ステップ８０２において、フェムトノード２１０からパイロット信号を受信してもよく、ステップ８０４において、パイロットの測定値を決定してもよく、ステップ８０６において、測定値を示す情報を、フェムトノード２１０に送り返してもよい。
【０１１７】
別の例として、ＵＥ２２０が、フェムトエリア２１５の近くに位置している状況があってもよい。ＵＥ２２０は、他のデバイスと通信するのにマクロノード２０５を使用しているが、ＵＥ２２０は、フェムトノード２１０からの信号を検出または受信してもよい。フェムトノード２１０に“気付いていること（seeing）”として、このことを呼んでもよい。ステップ８０４において、ＵＥ２２０は、フェムトノード２１０からの信号の測定値を計算し、ステップ８０６において、ＵＥ２２０は、測定値を示す情報をマクロノード２０５に対して送信する。同様に、ＵＥ２２１が、フェムトエリア２１５の近くに位置しているとき、たとえ、ＵＥ２２１がフェムトノード２１２とともにアクティブに通信していたとしても、ＵＥ２２１は、フェムトノード２１０によるパイロット信号ブロードキャストを受信してもよい。ＵＥ２２１は、受信したパイロット信号の測定値を決定してもよく、フェムトノード２１２に対して、その測定値を送信してもよい。
【０１１８】
ステップ８０６において、測定値、または、それを示す情報が、担当ノードに対してワイヤレスに送信されてもよい。さらに、何らかの数の方法において、または、何らかの数の技法を使用して、情報が送信されてもよい。例えば、ＵＥ２２２は、その中に情報を持っているＭＲＭを送信してもよい。
【０１１９】
ステップ８０４における測定値の決定、および／または、ステップ８０６における送信は、何らかの回数において実行されてもよく、何らかの数の方法においてトリガされてもよい。例えば、ステップ８０４において決定された測定値が特定のしきい値を上回るときだけ、ステップ８０６において、情報が送信されてもよい。いくつかの実施形態では、フェムトノードから受信された信号が、予め規定された回数だけ連続して、しきい値を下回るときだけ、ステップ８０６において、情報が送信されてもよい。例えば、ＵＥ２２２が、フェムトノード２１０からの、しきい値を下回るＳＮＲを有する３つのパイロット信号を連続して受信する場合、ＵＥ２２２は、最も低いＳＮＲまたは別の統計を決定して、それを、フェムトノード２１０に対して送信してもよい。
【０１２０】
別の実施形態では、定期的な間隔で、ステップ８０４において測定値を決定してもよく、および／または、ステップ８０６において測定値を送信してもよい。いくつかの実施形態では、測定値の決定、および／または、送信は、予め定められたイベントによってトリガされる。例えば、フェムトノード２１０から受信された要求に応答して、ステップ８０４において測定値が決定されてもよく、ステップ８０６において測定値が送信されてもよい。いくつかの実施形態では、ＵＥ２２２が、１つのノードから別のノードへとハンドオフするときに、ステップ８０４および８０６が実行される。この状況において、ＵＥ２２２は、ハンドオフの直前または直後のいずれかに、ノードに対して測定値を送ることができる。測定値は、古い担当ノードから受信された信号に対するものであってもよく、または、新しい担当ノードに対するものであってもよい。いくつかの実施形態では、ステップ８０６において、現在ＵＥ２２２を担当していないフェムトノードを、ＵＥ２２２が見受けるときに、測定値を示す情報が送られてもよい。
【０１２１】
当業者は、アクティブモード中のときに、例えば、通話中の間、または、ユーザデータを通信している間に、ＵＥ２２２によって、方法８００が実行されてもよいことを理解するだろう。したがって、ステップ８０６において、他のアクティブ送信に関連して、情報が送信されてもよい。しかしながら、当業者は、いくつかの実施形態では、パッシブモードにおけるときに、方法８００が実行されてもよいことを理解するだろう。
【０１２２】
当業者は、方法８００を使用して、ステップ８０２において、例えば、受信モジュール６０２を使用して、マクロノードからの信号を受信してもよいことを、同様に理解するだろう。ステップ８０４において、例えば、信号測定モジュール６０４によって、信号の測定値が決定されてもよく、ステップ８０６において、例えば、送信モジュール６０８によって、測定値が送信されてもよい。測定値は、例えば、ＵＥ２２２によって、フェムトノード２１０に対して送信されてもよく、または、ＵＥ２５０が測定値を送信するときに、例えば、マクロノード２０５によって、フェムトノード２１０に対して中継されてもよい。１つの実施形態では、ＵＥがマクロノードからフェムトノードへとハンドオフするときに、マクロノードからの測定値は、フェムトノードに送信される。他の実施形態では、フェムトノードは、例えば、フェムトノードとマクロノードの両方を見ることができるＵＥからの、または、マクロノード自体からの、マクロノード測定値を要求してもよい。当業者は、例えば、予め定められた間隔においてや、または、それが有利であるだろうとマクロノードが決定するときといった、マクロノード測定値がフェムトノードに送信されてもよい、他の状況を理解するだろう。
【０１２３】
方法８００は、ＵＥ２２２以外のデバイスによって、同様に実行されてもよい。例えば、隣接フェムトノードは、ＵＥ２２２が方法８００を実行するやり方と同様に、方法８００を実行してもよい。１つの実施形態では、方法８００は、フェムトノード２１２によって実現されてもよい。ステップ８０２において、フェムトノード２１２は、例えば、受信モジュール５０８を使用して、フェムトノード２１０からの信号を受信する。ステップ８０４において、フェムトノード２１２は、受信した信号の測定値を決定する。フェムトノード２１２は、ネットワークリッスンモジュール５１０を使用して、ステップ８０４を実行してもよく、または、フェムトノード２１２は、ＵＥ２２２に関して記述した信号測定モジュール６０４と同様のモジュールを含んでいてもよい。ステップ８０６において、フェムトノード２１２は、例えば、送信モジュール５０２を使用して、フェムトノード２１０に対して、測定値を示す情報を送ってもよい。いくつかの実施形態では、送信は、ワイヤレスリンクを介した、フェムトノード２１０に対して直接のものである。いくつかの実施形態では、情報は、フェムトノード２１０に対して送信するために、マクロノード、例えば、マクロノード２０５に対して送信される。当業者は、マクロノード２０５のいくつかの実施形態が、フェムトノード２１０に対して、測定値を示す情報を通信するのに同様に使用されてもよいことを認識すべきである。
【０１２４】
図９は、ノード、例えば、マクロノード２０５に対する通信の例示的な方法９００を図示する。以下で、マクロノード２０５のエレメントに関連して、方法９００を記述するが、当業者は、他のコンポーネントを使用して、ここで記述する１つ以上のステップを実現してもよいことと、方法９００が他のデバイスによって実行されてもよいこととを認識するだろう。
【０１２５】
ステップ９０２において、例えば、受信モジュール７０２を使用して、測定値またはこれを示す情報が受信される。測定値または情報は、ＵＥ、例えば、ＵＥ２２０から、または、別のノード、例えば、フェムトノード２１２から受信されてもよい。測定値または情報は、別のデバイスから直接に、例えば、ワイヤレスリンクを介して受信されてもよく、ネットワーク２４０を通して、例えば、バックホールを通して受信されてもよい。
【０１２６】
ステップ９０４において、複数の測定値が受信された場合、例えば、統計モジュール７０４によって、統計が計算されてもよい。統計は、図７に関して上で記述した何らかの統計を含んでいてもよく、ここで記述した方法または技術の何らかのものを使用して計算されてもよい。例えば、統計は、平均、モード、カウントもしくは量として、または、分散として、計算されてもよい。統計は、ステップ９０４において受信された現在の測定値および過去の測定値を利用した進行中の計算であってもよく、統計は、特定の時間期間に制限されていてもよい。時間期間は、デフォルト期間として、前もって確立されてもよく、または、時間期間は、例えば、フェムトノード２１０から受信される要求によって、定期的に設定または再設定されてもよい。当業者は、ステップ９０４において、計算されてもよい他の統計や、統計を決定するのに使用してもよい他の技術を認識するだろう。
【０１２７】
ステップ９０６において、測定値を示す情報、または、統計を示す情報の少なくとも一部が、測定値に関連してフェムトノードに対して送信される。例えば、ステップ９０２において、マクロノード２０５が、フェムトノード２１０によって送信された信号の測定値を受信した場合、ステップ９０６において、マクロノード２０５は、測定値もしくは測定値から導出された統計を、フェムトノード２１０に対して送信するだろう。いくつかの実施形態では、ステップ９０２において、ノード識別子またはセルＩＤが、測定値とともに受信される。この情報を使用して、測定値が関連している信号を、どのフェムトノードが送信したかを識別してもよい。識別情報は、適切なフェムトノードまたはセルを識別するのに使用されてもよい、パイロット信号またはＰＮシーケンスを識別するデータを含んでいてもよい。当業者は、フェムトノードまたはセルを識別する、さまざまな識別子および技術を認識するだろう。いくつかの実施形態では、ステップ９０２で受信された測定値と、ステップ９０４で決定された統計との両方が、ステップ９０６において、フェムトノードに対して送信される。
【０１２８】
ステップ９０６において、測定値を示す情報または統計が、フェムトノードに対して、いくつかの数の方法で送信されてもよい。例えば、上に記述したように、送信は、例えば、ワイヤレスチャネルを通して、直接フェムトノードに対するものであってもよい。１つの実施形態では、マクロノード２０５は、測定値を示す情報または統計を、ワイヤレスにフェムトノード２１０に対して送信する。他の実施形態では、上で記述したように、ＲＮＣを介して、および／または、ＲＡＮＡＰプロトコルを使用して、送信がルーティングされてもよい。１つの実施形態では、測定値を示す情報または統計は、ＲＩＭ手続を利用して、バックホールを通して通信されてもよい。
【０１２９】
ステップ９０４における統計の決定、および／または、ステップ９０６における送信は、さまざまな状況下で実行されてもよい。ステップ９０２において受信された測定値は、例えば、それらが受信されるとすぐに、フェムトノードに対して個々に送出されてもよく、または、複数の測定値が集められて、フェムトノードに送出されてもよい。
【０１３０】
いくつかの実施形態において、ステップ９０４における統計の決定、および／または、ステップ９０６における送信は、特定の時間、または、時間間隔において実行される。例えば、マクロノード２０５は、一日の間に受信されたすべての測定値を収集して、これらを記憶モジュール７０６中に記憶させてもよい。それぞれの日の予め定められた時間において、例えば、一日の終わり、もしくは早朝において、制御通信時間またはデバイス更新時間において、マクロノード２０５は、その日に受信したすべての測定値を送出してもよく、または、これらから計算した統計を送出してもよい。他の実施形態では、ステップ９０４において、マクロノード２０５は、過去６時間中に受信されたすべての測定値から統計を計算してもよく、ステップ９０６において、その統計を送信する。
【０１３１】
いくつかの実施形態では、ステップ９０４における統計の決定、および／または、ステップ９０６における送信は、イベントによってもたらされるものである。例えば、フェムトノードからの要求に応答して、ステップ９０４において、統計が決定され、引き続いて、ステップ９０６において、フェムトノードに対して送信されてもよい。いくつかの実施形態では、ステップ９０４において、決定された統計は、測定値が予め定められたしきい値を超えたときにだけ、フェムトノードに対して送信される。当業者は、ステップ９０４における統計の決定、および／または、ステップ９０６における送信をトリガしてもよい、他のイベントや、上に記述したもの以外の時間や、または、ここで記述したもの以外の技術を認識するだろう。
【０１３２】
当業者は、方法９００を使用して、例えば、マクロノード２０５に対して、マクロノードからの信号の測定値を示す情報を送出してもよい。例えば、ステップ９０２において、例えば、ＵＥ２２０から、受信モジュール７０２を使用して、信号の測定値を示す情報が受信されてもよい。ステップ９０６において、情報の少なくとも一部が、例えば、送信モジュール７０８を使用して、フェムトノード２１０に対して通信されてもよい。
【０１３３】
方法９００は、マクロノード２０５以外のデバイスによって、同様に実行されてもよい。例えば、隣接フェムトノードが、マクロノード２０５が方法９００を実行するやり方と同様に、方法９００を実行してもよい。１つの実施形態では、方法９００は、フェムトノード２１２によって実現される。ステップ９０２において、フェムトノード２１２は、測定値またはそれを示す情報を、別のデバイス、例えば、ＵＥ２２１から、例えば、受信モジュール５０８を使用して受信する。ステップ９０４において、フェムトノードは、受信した測定値または情報から統計を決定してもよい。この実施形態において、フェムトノード２１２は、マクロノード２０５に関して記述した統計モジュール７０４と同様のモジュールを含んでいてもよい。ステップ９０６において、フェムトノード２１２は、測定値を示す情報、または、統計を、例えば、フェムトノード２１０に対して送る。測定値を示す情報、または、統計は、送信モジュール５０２とともに送信されてもよい。いくつかの実施形態では、送信は、ワイヤレスリンクを介した、フェムトノード２１０に対して直接のものであってもよい。いくつかの実施形態では、フェムトノード２１０に対する送信のために、マクロノード、例えば、マクロノード２０５に情報が送信される。したがって、複数のノードまたはデバイスによって、方法９００を使用して、測定値に対応しているフェムトノードによってその測定値が受信されるまで、測定値を受信および送出してもよい。いくつかの実施形態では、インターネットプロトコル（ＩＰ）ネットワーク中で、パケットが送出されるやり方と同様な方法で、その宛先に到達するまで、フェムトノードおよび／またはマクロノードの間で測定値が送出される。測定値はまた、ＵＥに対して、または、ＵＥから送出されてもよい。
【０１３４】
図１０は、フェムトノード、例えば、フェムトノード２１０の送信電力を調整する例示的な方法１０００を図示する。以下で、フェムトノード２１０のエレメントに関連して、方法１０００を図示するが、当業者は、他のコンポーネントを使用して、ここで記述する１つ以上のステップを実現してもよいことと、方法１０００が他のデバイスによって実行されてもよいこととを認識するだろう。
【０１３５】
ステップ１００２において、例えば、送信モジュール５０２を使用して、信号が送信される。上で記述したように、信号はパイロット信号を含んでもよく、１つ以上のチャネルを通して送信されてもよい。例えば、信号は、ＣＰＩＣＨを通して送信される、パイロット信号であってもよい。いくつかの実施形態では、信号は、ユーザデータまたは音声データをエンコードする。
【０１３６】
ステップ１００４において、例えば、受信モジュール５０８によって、信号の測定値、または、測定値を示す情報が受信される。測定値、または、それを示す情報が、ＵＥまたはノードから、例えば、ＵＥ２２２、フェムトノード２１２、または、マクロノード２０５に対してワイヤレスに受信されてもよい。いくつかの実施形態では、測定値または統計を示す情報が、ワイヤード接続を通して受信されてもよい。いくつかの実施形態では、上に記述したように、ＲＮＣを介して、および／または、ＲＡＮＡＰプロトコルを使用して、送信が受信されてもよい。１つの実施形態では、ＲＩＭ手続を利用して、バックホールを通して、測定値または統計を示す情報が受信されてもよい。
【０１３７】
いくつかの実施形態では、ステップ１００４は、測定値の代わりに、または、測定値に加えて、複数の測定値の統計を受信することを含む。上に記述した方法または技術の何らかのものを使用して、統計が受信されてもよい。
【０１３８】
ステップ１００６に進んで、例えば、送信ユニット５０２が後続する信号を送信するのに使用する電力を変えるために、送信電力が調整される。例えば、電力調整モジュール５０６によって、送信電力が調整されてもよい。いくつかの実施形態では、すべての測定値および／または統計が受信された後に、送信電力が調整される。他の実施形態では、予め定められた数の測定値および／または統計が受信された後に、送信電力が調整される。いくつかの実施形態では、予め定められた間隔において、または、特定のイベントの後に、電力は常に調整される。したがって、間隔またはイベント毎の後に、送信電力が増加または減少するだろう。
【０１３９】
他の実施形態では、電力調整モジュール５０６は、送信電力を調整するか否かを決定してもよい。例えば、電力調整モジュール５０６は、受信した測定値または統計が、予め定められた範囲内であるとき、何の電力調整も必要でないことを決定してもよい。したがって、フェムトノード２１０の送信電力は、実質的に静的なままであってもよく、かなりの時間量に対して不変であってもよい。
【０１４０】
送信モジュール５０２の送信電力は、上に記述した統計の何らかのものに基づいて、調整されてもよい。例えば、フェムトノード２１０は、フェムトノード２１０によって送信されている信号によって、マクロエリア２３０においてＭＵＥによって経験される平均干渉を示す統計を、マクロノード２０５から受信してもよい。ステップ１００６において、平均干渉が、第１のしきい値より高い場合、電力調整モジュール５０６は、フェムトノード２１０の送信電力を減少させてもよい。平均干渉が、第２のしきい値より低い場合、または、フェムトノード２１０が、ＭＵＥとの干渉に関する何の情報も受信しない場合、電力調整モジュール５０６は、送信電力を増加させてもよい。第１および第２のしきい値は、同一であってもよく、いくつかの実施形態では、異なっていてもよい。
【０１４１】
いくつかの実施形態では、電力調整モジュール５０６は、送信電力が変更されるたびに、予め定められた量だけ、送信電力を調整するように構成されている。例えば、フェムトノード２１０が、ＵＥ２２２から、ステップ１００２において送信された信号から決定されたＳＮＲがしきい値より低いことを示す、測定値を受信するとき、電力調整モジュール５０６は、予め定められた量だけ電力を増加させてもよい。
【０１４２】
いくつかの実施形態では、受信測定値と、ターゲット測定値との間の差に比例して、送信電力が調整される。例えば、フェムトノード２１０が、ＵＥ２２２から、ステップ１００２において送信された信号の信号品質が、ターゲット品質より低いことを示す測定値を受信するとき、電力調整モジュール５０６は、測定された信号品質と、ターゲット品質との間の差に比例した量だけ、電力を増加させてもよい。したがって、これによって、電力調整モジュール５０６が送信電力を調整する量は、以下の数式のように決定されてもよく、ここで、ａは、何らかのスケーリングファクターである。
【数１】
0005373189.tif 000002
【０１４３】
ファクターａは、定数であってもよく、または、受信された通信、もしくは、例えば、ネットワークリッスンモジュール５１０によって決定されるような、変化している環境条件に基づいて、変化してもよい。
【０１４４】
いくつかの実施形態では、フェムトノード２１０は、ステップ１００２においてブロードキャストされた信号の範囲を決定または推定するように構成されていてもよい。例えば、フェムトノード２１０は、ステップ１００４において、パス損失を示す情報を受信するように構成されていてもよく、パス損失情報を使用して、フェムトエリア２１５のサイズまたはカバレッジを推定してもよい。この推定に基づいて、所望のカバレッジエリアに対して、フェムトエリア２１５を一致させようと試みて、電力調整モジュール５０６は送信電力を変化させてもよい。いくつかの実施形態では、所望のカバレッジエリアは静的である。他の実施形態では、１つ以上のＵＥ、例えば、ＵＥ２２２のロケーションが、決定されてもよく、カバレッジエリアは、そのロケーションに基づいていてもよい。別の例として、フェムトノード２１０の送信電力は、フェムトノード２１０に登録しているＵＥが異なる担当ノードに対してハンドオフしているところでは、送信モジュール５０２からの距離に基づいて、調整されてもよい。
【０１４５】
短期較正スキームを使用して、および／または、長期較正スキームを使用して、電力を調整してもよい。１つの実施形態では、短期較正スキームは、送信された信号の測定値を、ターゲット測定値に適合させるために、送信電力を調整してもよい。例えば、ターゲット測定値は、フェムトノード２１０によって担当されている特定のＵＥ、例えば、ＵＥ２２２の、最大の干渉を含んでもよい。ＵＥ２２２が、ステップ１００２において送信された信号を受信しているときに、最大干渉より大きい干渉を経験していることを示す測定値が、ステップ１００４において受信された場合、電力調整モジュール５０６は、一時的に、送信電力を増加させてもよい。フェムトノード２１０が、ＵＥ２２２が、最大干渉より大きい干渉を、もはや経験していないことを示す、別の測定値を受信するとき、電力調整モジュール５０６は、送信電力を減少させてもよく、例えば、従前の電力に戻してもよい。代わりに、回復スケジュールにしたがって、送信電力を徐々に増加させてもよい。いくつかの実施形態では、ターゲット測定値は、フェムトノード２１０以外のノードによって担当されているＵＥ、例えば、ＵＥ２２０の最大干渉を含む。これらの実施形態では、電力調整モジュール５０６は、ＵＥ２２０が最大干渉を上回る干渉を経験しているときに、フェムトノード２１０による過度の干渉から、ＵＥ２２０を保護するために、一時的に送信電力を減少させてもよい。ＵＥ２２０が、最大干渉を上回る干渉を、もはや経験していないとき、電力調整モジュール５０６は、送信電力を増加させてもよい。
【０１４６】
１つの実施形態では、長期較正スキームは、時間期間を示す測定値または統計に基づいて、デフォルト送信電力を調整することを含んでいてもよい。例えば、フェムトノード２１０は、ステップ１００２において送信された信号を、その一日全体にわたって見受けたＭＵＥの量を示す統計を、ステップ１００４において、マクロノード２０５から受信してもよい。この量が、しきい値より大きい場合、翌日の送信が、新しい送信電力において送信されて開始されることになるように、ステップ１００６において、電力調整モジュール５０６は、デフォルト送信電力を調整してもよい。
【０１４７】
いくつかの実施形態では、短期較正スキームと長期較正スキームとは、結合されてもよい。例えば、１２時間のタイムフレーム中で、最大回数より多く、短期較正スキームが使用された場合、電力調整モジュール５０６は、送信モジュール５０２のデフォルト送信電力を調整するように構成されていてもよい。
【０１４８】
当業者は、ステップ１００６において、電力を調整する、他のスキーム、方法、および、技術を認識するだろう。上の送信電力の調整の記述は、フェムトノード２１０から送信された信号に基づいた測定を記述したが、当業者は、類似の技術を使用して、マクロノード２０５から受信された信号の測定値を示す情報に基づいて、送信電力を調整してもよいことを認識するだろう。例えば、マクロノード２０５から送信され、フェムトエリア２１５の近くで受信されたパイロットの強度の測定値が、しきい値に比較されてもよい。測定値が、しきい値を下回る場合、フェムトノード２１０は、マクロノード２０５とのその干渉は、フェムトエリア２１５中におけるものでない見込みが高いとして決定してもよく、電力調整モジュール５０６は、送信電力を増加させてもよい。
【０１４９】
ステップ１００８へと続いて、ステップ１００６からの調整された電力を使用して、例えば、送信ユニット５０２によって信号が送信される。送信は、ステップ１００２において送信された信号に類似した信号を送ることを含んでもよく、例えば、ステップ１００４において受信された測定値が、ステップ１００２において送信された第１のパイロットに関連している場合、調整された電力を有する第２のパイロットを送ることを含んでもよい。いくつかの実施形態では、ステップ１００８において送信された信号は、ステップ１００２において送信されたものとは、異なるタイプの信号であってもよい。例えば、ステップ１００２において送信された信号は、パイロット信号を含んでもよく、ステップ１００８において送信された信号は、ユーザデータエンコーディング信号を含んでいてもよい。ステップ１００８において、信号はワイヤレスに送信されてもよく、何らかの数のデバイス、例えば、ＵＥ２２２、フェムトノード２１２、および／または、マクロノード２０５に対して送信されてもよい。ステップ１００８において、フェムトエリア２１５中の何らかのデバイスによって受信されてもよいように、信号はブロードキャストされてもよい。
【０１５０】
図１１は、ユーザ装置、例えば、ＵＥ２２１の、別の例示的な通信の方法１１００を図示する。ＵＥ２２１のエレメントに関して、方法１１００を以下で記述することになるが、当業者は、他のコンポーネントを使用して、ここで記述する１つ以上のステップを実現してもよいことと、方法１１００が他のデバイスによって実行されてもよいこととを認識するだろう。
【０１５１】
ステップ１１０２において、フェムトノードから信号が受信される。例えば、ステップ１１０２において、受信モジュール６０２は、フェムトノード２１０からのパイロット信号またはデータ通信を見受けるかもしれない。ステップ１１０２において、信号を受信したときに、そこから信号が受信されたフェムトノードは、ＵＥ２２１の担当ノードではないかもしれない。
【０１５２】
ステップ１１０４において、ステップ１１０２において受信された信号に基づいて、条件が識別される。いくつかの実施形態では、条件は、干渉条件を含む。干渉条件は、図６に関して上で記述した条件に何らかのものを含んでいてもよい。いくつかの実施形態では、条件は、ハンドオフ条件を含む。上に記述したように、ハンドオフ条件は、担当ノードから受信されたパイロット信号のＳＮＲより高い、ステップ１１０２において受信された信号のＳＮＲの表示を含んでいてもよい。干渉条件と、ハンドオフ条件は、同様のものであってもよく、いくつかの実施形態では、異なっていてもよい。
【０１５３】
ステップ１１０６に進んで、ステップ１１０２において、そこから信号が受信されたフェムトノードに登録するための要求が、フェムトノードに送信されてもよい。例えば、ＵＥ２２１が、ステップ１１０４において、フェムトノード２１０から受信されたパイロットによって、ハンドオフ条件を識別する場合、ＵＥ２２１は、フェムトノード２１０に登録しようと試みるかもしれない。登録の要求は、上に図６に関して記述したように、発生されてもよく、および／または、送信されてもよい。ＵＥ２２１のいくつかの実施形態では、ＵＥ２２１がフェムトノードに登録することを許容されているか否かにかかわらず、ＵＥ２２１は、フェムトノードに登録を要求するように構成されているかもしれない。例えば、ＵＥ２２１のいくつかの実施形態は、ＵＥ２２１が何らかの所定のフェムトノードに登録してもよいか否かを決定するための機能を備えていないかもしれない。
【０１５４】
ステップ１１０８において、適切に構成されているＵＥ２２１は、登録を要求するか否かを決定してもよい。この決定は、ステップ１１０４において識別された条件が、干渉条件であるか、または、ハンドオフ条件であるか否かに基づいていてもよい。例えば、ＵＥ２２１が、フェムトノード２１０から受信された信号に基づいて、ステップ１１０４において、ハンドオフ条件を検出し、ＵＥ２２１が、フェムトノード２１０に登録してもよいことを決定する場合、ステップ１１０６において、ＵＥ２２１は、登録の要求を発生させ、送信してもよい。しかしながら、ＵＥ２２１のいくつかの実施形態は、ステップ１１０８において決定を行うように構成されていないかもしれない。
【０１５５】
しかしながら、この決定を行うように構成されているＵＥ２２１では、ＵＥ２２１はフェムトノードに登録することを許可されていないことを、ＵＥ２２１が決定してもよく、結果として、登録を要求しなくてもよい。例えば、ＵＥ２２１は、登録モジュール６０６を使用して、この決定を行ってもよい。登録モジュール６０６は、フェムトノードが、ＵＥ２２１の好ましいノードでないことを決定してもよく、または、フェムトノードが、例えば、記憶モジュール６１０中に記憶されている許可されているノードの組において、識別できないことを決定してもよい。ＵＥが、ノードに登録されることを許容されているか否かを決定する技術は、上で図６に関して記述した。さらに、ＵＥ２２１は、ハンドオフ条件の変わりに、ステップ１１０４において、干渉条件が識別されてもよいことを決定してもよい。
【０１５６】
ステップ１１００に進んで、適切に構成されているＵＥ２２１は、干渉通信を送信するかもしれない。いくつかの実施形態では、干渉通信は、ステップ１１０２において、そこから信号が受信されたフェムトノードに対して直接送信されるかもしれない。例えば、ＵＥ２２１が、フェムトエリア２１７において、フェムトノード２１２によって担当されている場合、そして、フェムトエリア２１５の近くに位置している場合、ステップ１１０２において、ＵＥ２２１は、フェムトエリア２１５から漏出した、フェムトノード２１０からのパイロットを見受けるかもしれない。ステップ１１０４において、ＵＥ２２１は、信号に基づいて干渉条件を識別してもよく、また、ＵＥ２２１が、フェムトノード２１０に登録することを許容されていないことを決定してもよい。結果として、ＵＥ２２１は、干渉通信を発生させてもよく、ステップ１１１０において、例えば、フェムトノード２１０に対して、ＯＴＡメッセージ中で、干渉通信をワイヤレスに送信してもよい。干渉通信の送信は、図６に関して上に記述した。
【０１５７】
図１２は、フェムトノード、例えば、フェムトノード２１０の送信電力を調整する例示的な方法１２００を図示する。フェムトノード２１０のエレメントに関して、方法１２００を以下で記述することになるが、当業者は、他のコンポーネントを使用して、ここで記述する１つ以上のステップを実現してもよいことと、方法１２００が他のデバイスによって実行されてもよいこととを認識するだろう。
【０１５８】
ステップ１２０２において、例えば、送信モジュール５０２を使用して、信号が送信される。上に記述したように、信号は、パイロット信号を含んでもよく、１つ以上のチャネルを通して送信されてもよい。例えば、信号は、ＣＰＩＣＨを通して送信されるパイロット信号であってもよい。いくつかの実施形態では、信号は、ユーザデータまたは音声データをエンコードする。
【０１５９】
ステップ１２０４へと進んで、フェムトノード２１０に登録するための要求が、例えば、受信モジュール５０８によって受信される。要求は、ワイヤレスに、ＵＥ、例えば、ＵＥ２２０から受信されてもよい。登録の要求は、図６に関して上で記述した。
【０１６０】
ステップ１２０６に進んで、登録を要求しているＵＥが、フェムトノード２１０に登録することを許容されていないことが、例えば、登録ユニット５１２を使用して決定される。１つの実施形態では、要求しているＵＥは、フェムトノード２１０のＣＳＧまたはＣＵＧに属していない。例えば、ＵＥ２２０が、フェムトノード２１０に登録することを要求したが、登録ユニット５１２および／または記憶モジュール５０４中に記憶されている情報によって識別されない場合、登録ユニット５１２は、ＵＥ２２０が、フェムトノード２１０に登録することを許容されていないとして決定してもよい。フェムトノード２１０に登録することを許容されているＵＥを識別するための技術を、上に図６に関して説明した。
【０１６１】
次に、ステップ１２０８において、ステップ１２０４において受信された要求、または、複数の受信された要求に基づいて、例えば、電力調整モジュール５０６を使用して、フェムトノード２１０の送信電力を調整する。登録に対する不成功に終わった要求は、ステップ１２０２において送信された信号が、過度な干渉をもたらしていることの表示であるかもしれない。例えば、フェムトノード２１０に登録することを要求しているＵＥは、フェムトノード２１０を、最も強い基地局として見ているかもしれず、彼らがフェムトノード２１０に対してハンドオフできるように、彼らの担当ノードと関係を断とうと試みているかもしれない。
【０１６２】
いくつかの実施形態において、ステップ１２０８において、電力を調整することは、イベントによってもたらされる。例えば、電力調整モジュール５０６は、受信モジュール５０８によって受信された不成功に終わった登録の試みのそれぞれに対するステップ（例えば、予め定められたｘの値に対してｘｄＢ）で、または、予め定められた量によって、送信電力を減少させてもよい。送信電力は、回復スケジュールにしたがって、後で、徐々に増加されてもよく、例えば、何らかの予め定められたｙの値に対して、毎時ｙｄＢだけ増加させてもよい。さらに、送信電力は、下限および上限を課されてもよい。制限は、固定されていてもよく、または、電力較正技術に基づいて、例えば、電力調整モジュール５０６によって、調整可能であってもよい。
【０１６３】
いくつかの実施形態では、電力は、ステップ１２０８において、予め定められた数の不成功に終わった登録の試みが受信された後にだけ、調整されてもよい。いくつかの実施形態では、電力調整モジュール５０６は、指定された時間期間内に、予め定められた数の、不成功に終わった登録の試みが受信されない限り、送信電力を調整しない。指定された時間期間中の予め定められた数を超過している、不成功に終わった登録の試みに比例した量で、電力が調整されてもよい。予め定められた数および／または指定された時間は、電力が、最大調整制限より頻繁に調整される場合、例えば、以下に説明する統計的アプローチに関連して調整されてもよい。
【０１６４】
イベントによりもたらされるベースでの、送信電力の調整は、フェムトエリア２１５中の、ＵＥの数における突然の変更に対して、フェムトノード２１０の応答を増加させてもよい。例えば、フェムトノード２１５が、バス停の近くに位置している場合、例えば、フェムトノード２１０に登録することを許容されていないＵＥでいっぱいのバスが近くにいるとき、フェムトノード２１０は、ＵＥの大きな殺到に応答できる。
【０１６５】
いくつかの実施形態では、ステップ１２０８において、電力を調整することは統計的である。例えば、フェムトノード２１０は、不成功に終わった登録の試みに基づいて、１つ以上の統計を決定し、維持してもよい。１つの実施形態では、フェムトノード２１０は、例えば、１日のような、規定された時間期間に対する不成功に終わった登録の試みの平均数を決定するように構成されている。別の実施形態では、フェムトノード２１０は、不成功に終わった登録の試みに対する、成功した登録の試みの比を決定するように構成されている。いくつかの実施形態では、フェムトノード２１０は、１日の時間ごとの登録の試みの平均数のヒストグラムを決定するように構成されている。他の実施形態では、フェムトノード２１０は、移動平均や、自己回帰フィルタのような、その他の統計的フィルタを、不成功に終わった登録の試みのカウント上に、適用するように構成されている。例えば、毎晩深夜において、１時間に１回のようなスケジュールにしたがって、この情報に基づいて、送信モジュール５０２からの送信信号の電力を調整してもよい。
【０１６６】
このような統計を使用して送信電力を調整することは、ＵＥトラフィック中の繰り返し発生する変動の文脈で、フェムトノード２１０の操作性を向上させてもよい。例えば、電力調整モジュール５０６は、平日のラッシュアワーにおいて、または、レストランの近くに位置している場合には食事時間の間に、送信電力を増加させるように構成されていてもよい。
【０１６７】
いくつかの実施形態では、フェムトノード２１０は、例えば、記憶モジュール５０４中に、ＵＥの記録を維持するように構成されており、そこからフェムトノード２１０は、不成功に終わった登録の試みを定期的に受け取る。フェムトノード２１０は、これらのＵＥからの登録の試みを無視するように構成されていてもよい。例えば、これらのＵＥは、フェムトノード２１０に、きわめて接近して住んでいるユーザに属しているかもしれず、または、フェムトノード２１０の所有者を訪問しているユーザに属しているかもしれない。いくつかの実施形態では、フェムトノード２１０は、ＵＥからの不成功に終わった登録の試みの数が、例えば、予め定められた時間期間の間に、最大要求制限を超えた場合、ＵＥからの不成功に終わった登録の試みを無視するように構成されていてもよい。いくつかの実施形態では、フェムトノード２１０のユーザまたは管理者は、フェムトノード２１０に対して、特定の訪問者または隣接のＵＥを認識するようにマニュアルでプログラムしてもよい。
【０１６８】
いくつかの実施形態では、フェムトノード２１０は、登録の要求に関係する、測定値、または、それを示す情報を受信してもよい。例えば、ステップ１２０２において、ＵＥは、フェムトノード２１０によって送信された信号に基づいて、ハンドオフ条件を決定するとき、ＵＥはまた、登録要求とともにフェムトノード２１０に対して送信するために測定値を決定してもよく、登録要求とともにハンドオフ条件に関する情報を送信してもよい。これらの実施形態では、ステップ１２０８における送信電力の調整は、この追加的に受信された情報に、少なくとも部分的に基づいていてもよい。例えば、送信電力における変更の量は、測定値に基づいていてもよい。いくつかの実施形態では、しきい値を下回る干渉を示している測定値に関係する登録要求は、電力調整モジュール５０６によって無視されてもよい。当業者は、ステップ１２０８において、電力を調整するときに、関係する測定値情報を利用するための、他の方法を認識するだろう。
【０１６９】
上に記述したように、フェムトノード２１０は、不成功に終わった登録の試みの特性に基づいて、送信電力を調整してもよい。例えば、フェムトノード２１０は、失敗した登録の試みがしきい値を下回る干渉を示す測定値に関係している場合、送信電力を調整するときに、失敗した登録の試みを無視するように構成されていてもよい。同様に、フェムトノード２１０は、別の失敗した登録の試みが、少なくともしきい値と同じ大きさの測定値に関係している場合、送信電力を調整するときに、別の失敗した登録の試みを考慮するように構成されていてもよい。いくつかの実施形態では、失敗した登録の試みは、特性に基づいて、異なったふうに重み付けされてもよい。例えば、知られているラッシュアワーの間に受信された失敗した登録の試み、または、ビジターＵＥもしくは最大要求制限を超えているＵＥから受信された失敗した登録の試みは、フェムトノード２１０が、送信電力を調整する量を決定または計算しているときに、知られているラッシュアワーの間に受信された失敗した登録の試み、または、ビジターＵＥもしくは最大要求制限を超えているＵＥから受信された失敗した登録の試みの、ほんのわずかのものとしてしかカウントされないかもしれない。したがって、すべての失敗した登録の試みを平等に取り扱う訳ではないように、フェムトノード２１０が、構成されていてもよく、不平等な取り扱いは、上に記述したような、失敗した登録の試みの特性に基づいていてもよい。当業者は、不成功に終わった登録の試みの特性が、フェムトノード２１０によって電力決定のために利用されてもよい、他の方法について認識するだろう。
【０１７０】
ステップ１２１０へと続いて、例えば、送信機ユニット５０２によって、ステップ１２０８からの調整された電力を使用して、信号が送信される。送信は、ステップ１２０２において送信された信号に類似した信号を送ることを含んでいてもよく、または、ステップ１２０２で送信された信号とは異なるタイプの信号を送ることを含んでいてもよい。ステップ１２１０において、信号は、ワイヤレスに送信されてもよく、そして、何らかの数のデバイスに対して送信されてもよく、または、信号がフェムトエリア２１５中のデバイスによって受信されてもよいように、ブロードキャストされてもよい。
【０１７１】
図１３は、フェムトノード、例えば、フェムトノード２１０の送信電力を調整する例示的な方法１３００を図示する。フェムトノード２１０のエレメントに関して、方法１３００を以下で記述することになるが、当業者は、他のコンポーネントを使用して、ここで記述する１つ以上のステップを実現してもよいことと、方法１３００を他のデバイスによって実行してもよいこととを認識するだろう。
【０１７２】
ステップ１３０２において、例えば、送信モジュール５０２を使用して、信号が送信される。上で記述したように、信号はパイロット信号を含んでもよく、１つ以上のチャネルを通して送信されてもよい。例えば、信号は、ＣＰＩＣＨを通して送信される、パイロット信号であってもよい。いくつかの実施形態では、信号は、ユーザデータまたは音声データをエンコードする。
【０１７３】
ステップ１３０４において、例えば、受信モジュール５０８によって、干渉通信が受信される。要求は、ＵＥ、例えば、ＵＥ２２０からワイヤレスに受信されてもよい。干渉通信は、上で、図６に関して記述した。
【０１７４】
ステップ１３０６において、例えば、電力調整モジュール５０６を使用して、ステップ１３０４において受信された干渉通信、または、複数の受信された要求に基づいて、フェムトノード２１０の送信電力が調整される。ステップ１２０６において、電力を調整することは、イベントによりもたらされるベースで、または、統計的ベースで、例えば、上で図１２のステップ１２０８に関して記述した方法に類似した方法を使用して、電力を調整することを含んでいてもよい。しかしながら、いくつかの実施形態では、技術において使用される何らかのしきい値または予め定められた値は異なっていてもよいが、ステップ１３０６において使用される技術は、ステップ１２０８において使用される技術に類似している。
【０１７５】
いくつかの実施形態では、フェムトノード２１０は、例えば、記憶モジュール中に、ＵＥの記録を維持するように構成されており、フェムトノードは、不成功に終わった登録の試みを定期的に受信する。フェムトノード２１０は、これらのＵＥからの登録の試みを無視するように構成されていてもよい。いくつかの実施形態では、フェムトノード２１０は、ＵＥからの不成功に終わった登録の試みの数が、例えば、予め定められた時間期間の間に、最大要求制限を超えた場合、ＵＥからの不成功に終わった登録の試みを無視するように構成されていてもよい。
【０１７６】
いくつかの実施形態では、フェムトノード２１０は、干渉通信に関係する、測定値、または、それを示す情報を受信してもよい。これらの実施形態では、ステップ１２０８における送信電力の調整が追加的に受信された情報に基づいていてもよい方法と同様に、ステップ１３０８における送信電力の調整は、この追加的に受信された情報に、少なくとも部分的に基づいていてもよい。
【０１７７】
いくつかの実施形態では、フェムトノード２１０は、電力を調整する目的で、登録の要求および干渉通信を、同一に取り扱うように構成されていてもよい。例えば、一日の特定の時間中の通信の平均数が、その時間の間に受信された、登録要求および干渉通信の集約したものから計算されてもよい。たとえ、フェムトノード２１０が送信電力調整の目的で、登録要求および干渉通信の間を、区別しなかったとしても、フェムトノード２１０は、他の機能のために、登録要求および干渉通信を、別個に取り扱うように構成されていてもよい。例えば、フェムトノード２１０は、干渉通信を受信した後に、何の応答も送らないように構成されている一方で、不成功に終わった登録の試みに対して、否定メッセージすなわちＮＡＣＫとともに応答するように構成されていてもよい。いくつかの実施形態では、登録の要求および干渉通信は、フェムトノード２１０によって、例えば、フェムトノード２１０の異なる状態機械によって、送信電力を調整する目的で、別個に取り扱われてもよい。したがって、登録要求に対する統計は、干渉通信に対する統計とは別個に維持されてもよい。
【０１７８】
ステップ１３０８へと進んで、例えば、送信機ユニット５０２によって、ステップ１２０６からの調整された電力を使用して、信号が送信される。送信は、ステップ１３０２において送信された信号に類似した信号を送ることを含んでいてもよく、または、ステップ１３０２で送信された信号とは異なるタイプの信号を送ることを含んでいてもよい。ステップ１３０８において、信号は、ワイヤレスに送信されてもよく、そして、何らかの数のデバイスに対して送信されてもよく、または、信号がフェムトエリア２１５中のデバイスによって受信されてもよいように、ブロードキャストされてもよい。
【０１７９】
当業者は、ここで記述したデバイス、システム、および、方法を使用して、フェムトノードの電力を調整してもよいことを認識するだろう。例えば、フェムトノードまたは他の低電力基地局が、ワイヤレスネットワーク中で、ＭＮＢのような従来のＷＡＮ基地局とともに、配備されてもよい。フェムトノードは、ホーム加入者に対して、優れたデータレートおよびカバレッジを提供するように構成されていてもよい。しかしながら、これらのフェムトノードは、無計画な方法で、配備されているかもしれない。したがって、フェムトノードによって、マクロノードもしくは近傍のフェムトノードに対して、もたらされる干渉を管理することは有利である。当業者は、ここで記述したデバイス、システムおよび、方法を使用して、フェムトノードの送信電力を、例えば、パイロット、オーバーヘッド、および、データチャネルに対して、調整または制限することによって、フェムトノードと通信していないＭＵＥまたは他のＵＥ（例えば、フェムトノードのＣＳＧ中にないＵＥ）を、干渉から保護してもよい。これらのデバイス、システム、および、方法は、フェムトカバレッジエリアと、ＭＵＥへの干渉の影響との間の釣り合いをとってもよい。このようにして、例えば、ネットワークリッスンモジュールによって行われた仮定による、フェムトノードに対する不正確な電力設定は、減少されてもよく、または、回避されてもよい。例えば、フェムトノードに対する不適切なカバレッジの状況であってもよいような、ＭＵＥに対するあまりに多くの干渉がある状況が、減少されてもよい。さらに、ここで記述するようなフェムトノードは、トラフィックに気付いていてもよく、例えば、フェムトノードの電力設定によって、何らかのＭＵＥが実際に影響を及ぼされるか否かを考慮してもよい。当業者は、技術的に知られている電力調整スキームとともに、例えば、ネットワークリッスンモジュールからの測定値に依拠する方法とともに、ここで記述するデバイス、システム、および、方法を使用してもよいことを認識するだろう。
【０１８０】
上に記述したように、ここで記述するデバイス、システム、および、方法を使用して、フェムトノードの電力を調整してもよい。これらのデバイス、システム、および、方法を使用して、フェムトノードは、それらが、ＭＵＥに対する干渉を引き起こすかについて、ＭＵＥに対する干渉を引き起こさないかについて、または、何らかのＭＵＥが存在するか否かについてすら考慮してもよい。さらに、フェムトノードは、ネットワークリッスンモジュールによって見受けられるＲＦ状況と、ＵＥとの間で不一致が存在する状況を考慮してもよい。さらに、自己較正に対して較正された初期パラメータが有効でない配備に対して、送信電力が調整されてもよい。これらの状況において、ここで記述するデバイス、システム、および、方法は、他の（マクロまたは隣接フェムト）ユーザに対する干渉を保持しながら、ＨＵＥに対する所望のカバレッジを達成してもよい。ここで記述するフェムトノードは、フェムトノードの近傍における、ＭＵＥの本当のトラフィック状況について気付かされてもよい。フェムトノードの送信によって、影響されている何のＭＵＥもないか、または、ほんのわずかのＭＵＥしかない場合、フェムトエリアは増大されてもよい。かなりの数のＭＵＥが、干渉されている場合、フェムトノードは、適切に応答できてもよい。いくつかの実施形態では、フェムトノードは、ＵＥ、または、他のフェムトノードから直接通信を受信してもよいので、マクロネットワークからのメッセージングは、要求されない。いくつかの実施形態は、ＭＵＥの突然の殺到に対処してもよい技術を記述する。追加的に、ＭＵＥトラフィックにおける時間変動に応答するために、統計ベースの技術を使用してもよい。さらに、ここで記述した技術は、引き続いての送信電力の適切な減少とともに、フェムトノード送信電力のアグレッシブ初期設定を可能にするバックオフメカニズムを提供してもよく、例えば、このことは、大きな家または他の大きなフェムトエリアに対して有利であってもよい。
【０１８１】
個別に記述したが、図４、５、６、および、７に関して記述した機能ブロックは、別々の構造エレメントである必要はない。例えば、電力調整モジュール５０６と登録ユニット５１２は、単一チップ中で実現されてもよい。いくつかのモジュールは、別々に、または、一緒に、処理モジュールによって実現されてもよい。処理モジュールは、レジスタのようなメモリを含んでいてもよい。同様に、１つ以上の機能ブロック、さまざまな機能ブロックのうちの一部を、単一のチップ中で実現してもよい。代わりに、特定のブロックの機能を、２つ以上のチップ上で実現してもよい。
【０１８２】
電力調整モジュール５０６、信号測定モジュール６４、および／または、統計モジュール７０４のような、図４、５、６、および、７に関して記述した機能ブロックのうちの１つ以上の機能ブロック、および／または、機能ブロックの１つ以上の組み合わせは、汎用プロセッサ、デジタル信号プロセッサ（ＤＳＰ）、専用集積回路（ＡＳＩＣ）、フィールドプログラム可能ゲートアレイ（ＦＰＧＡ）、または、他のプログラム可能ロジックデバイス、ディスクリートゲートもしくはトランジスタロジック、ディスクリートハードウェアコンポーネント、または、ここで記述した機能を実行するように設計されているこれらの何らかの適切な組み合わせとして実現されてもよい。図４、５、６、および、７に関して記述した機能ブロックのうちの１つ以上の機能ブロック、および／または、機能ブロックの１つ以上の組み合わせは、コンピューティングデバイスの組み合わせ、例えば、ＤＳＰとマイクロプロセッサ、複数のマイクロプロセッサ、ＤＳＰ通信に関連している１つ以上のマイクロプロセッサ、または、他の何らかのこのような構成として実現されてもよい。
【０１８３】
ここで（例えば、添付の図面のうちの１つ以上に関連して）記述した機能は、同様に示された特許請求の範囲中の“ミーンズフォー（means for）”機能に対して、ある観点において対応していてもよい。図５、６、および、７に関連して、フェムトノード２１０、ＵＥ２２２、および、マクロノード２０５は、一連の相互に関連した機能モジュールとして表現されている。
【０１８４】
図４、５、６、および、７のモジュールの機能は、ここでの教示に一貫したさまざまな方法で実現されてもよい。いくつかの観点では、これらのモジュールの機能は、１つ以上の電子的コンポーネントとして実現されてもよい。いくつかの観点では、これらのブロックの機能は、１つ以上のプロセッサコンポーネントを含む処理システムとして実現されてもよい。いくつかの観点では、これらのモジュールの機能は、例えば、１つ以上の集積回路（例えば、ＡＳＩＣ）の少なくとも一部を使用して実現されてもよい。ここで記述するように、集積回路は、プロセッサ、ソフトウェア、他の関連コンポーネント、または、何らかのこれらの組み合わせを含んでいてもよい。これらのモジュールの機能もまた、ここで教示される他の何らかの方法において実現されてもよい。
【０１８５】
“第１の”、“第２の”、等のような指定を使用した、ここでのエレメントに対する任意の参照は、これらのエレメントの量、または、順序を一般的に制限しないことを理解すべきである。むしろ、これらの指定は、２つ以上のエレメント、または、エレメントのインスタンスの間で、区別する便利な方法として、ここで使用してもよい。したがって、第１の、および、第２のエレメントに対する参照は、そこで２つだけのエレメントが用いられてもよいことを意味しておらず、または、第１のエレメントが、何らかの方法で、第２のエレメントに先行しなければならないことを意味しない。また、そうではないとして述べられない限り、１組のエレメントは、１つ以上のエレメントを含んでいてもよい。追加的に、詳細な説明または特許請求の範囲において使用されている、“Ａ、Ｂ、または、Ｃのうちの少なくとも１つ”という形式の用語は、“Ａ、または、Ｂ、または、Ｃ、または、これらのエレメントの何らかの組み合わせ”を意味する。
【０１８６】
詳細な説明は、本発明の特定の例を記述する一方で、当業者は、新規な概念から逸脱することなく、本発明の変形を考案できる。例えば、ここでの教示のいくつかのものは、回路交換ネットワークエレメントを指しているかもしれないが、同様に、パケット交換ドメインネットワークエレメントに適用可能である。
【０１８７】
当業者は、さまざまな異なる技術および技法を使用して情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【０１８８】
ここで開示した実施形態に関連して述べられた、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するであろう。ハードウェアおよびソフトウェアの交換可能性を明確に図示するために、さまざまな例示的な構成部品、ブロック、モジュール、回路およびステップを一般的にこれらの機能に関して上述した。そのような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、そのような実現決定は、本発明の範囲からの逸脱を生じさせるものとして解釈すべきではない。
【０１８９】
さらに、ここで開示した観点に関して説明した方法またはアルゴリズムのステップは、ハードウェア中で直接、プロセッサにより実行されるソフトウェアモジュール中、または、２つの組み合わせ中に、実現されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当業者に知られている、他の任意の形式の記憶メディア中に存在してもよい。例示的な記憶媒体はプロセッサに結合され、そのようなプロセッサは記憶媒体から情報を読み出し、記憶媒体に情報を書き込む。代わりに、記憶媒体はプロセッサに統合されていてもよい。さらに、いくつかの観点では、プロセッサおよび記憶媒体はＡＳＩＣ中に存在していてもよい。
【０１９０】
説明した機能を、ハードウェア、ソフトウェア、ファームウェア、または、これらの組み合わせによって実現してもよいことを理解すべきである。ソフトウェアにおいて実現される場合、関数を、コンピュータ読取可能媒体中の１つ以上の命令またはコードとして記憶または送信させてもよい。コンピュータ読取可能媒体は、コンピュータ記憶媒体と、ある場所から別の場所へとコンピュータプログラムの転送を容易にする任意の媒体を含む通信媒体との両方を含む。記憶媒体は、汎用または専用のコンピュータによってアクセスされることができる任意の利用可能な媒体を指す。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスクストレージ、磁気ディスクストレージまたは磁気ストレージ装置、あるいは、所望のプログラムコードを命令またはデータ構造の形態で搬送または記憶するのに使用されることができ、かつ、汎用または専用のコンピュータによってアクセスされることができる、他の任意の媒体を含むことができる。また、接続は、コンピュータ読取可能媒体として適切に呼ばれてもよい。例えば、ソフトウェアがウェブサイト、サーバ、または、他のリモート源から、同軸ケーブル、ファイバー光学ケーブル、燃料対、デジタル加入ライン（ＤＳＬ）、または、赤外線、無線、および、マイクロウェーブのようなワイヤレス技術を使用して、送信される場合、同軸ケーブル、ファイバー光学ケーブル、燃料対、デジタル加入ライン（ＤＳＬ）、または、赤外線、無線、および、マイクロウェーブのようなワイヤレス技術は、媒体の定義中に含められる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピーディスク、ブルーレイディスクを含み、ここで、ディスク（ｄｉｓｋ）は、通常は、磁気的にデータを再生し、ディスク（ｄｉｓｃ）は、レーザーで光学的にデータを再生する。上記のものの組み合わせがまた、コンピュータ読取可能媒体に含まれるべきである。
【０１９１】
開示した実施形態のこれまでの記述は、当業者が本発明を製作または使用できるように提供した。これらの実施形態に対するさまざま改良は当業者に容易に明らかとなり、ここに定義された一般的な原理は、本発明の精神および範囲を逸脱することなく、他の実施形態に適用されてもよい。したがって、本発明はここに示された実施形態に限定されることを意図しているものではなく、ここで開示されている原理および新しい特徴と一致した最も広い範囲に一致させるべきである。  
以下に、本願出願の当初の特許請求の範囲に記載された発明を付記する。
［１］
ワイヤレス通信のための装置において、
第１の電力を有する第１の信号を、第１の受信領域に対して、ワイヤレスに送信するように構成されている第１の送信機と、
前記第１の信号の受信から導出された測定値を示す情報をワイヤレスに受信するように構成されている受信機と、
前記受信された情報に少なくとも部分的に基づいて、前記第１の電力を調整するように構成されている電力調整ユニットと
を具備し、
前記受信機は、第２の受信領域内に位置しており、第２の信号は、第２の送信機から、前記第２の受信領域中の１つ以上のユーザデバイスに対してワイヤレスに送信され、前記第２の受信領域は、前記第１の受信領域より実質的に大きい装置。
［２］
少なくとも１つのユーザデバイスを識別する情報を記憶するように構成されている登録ユニットをさらに具備し、
前記登録ユニット中で識別されるユーザデバイスだけが、前記第１の送信機を介して、および、前記受信機を介して、他のユーザデバイスと通信することを許可され、
前記受信機は、前記登録ユニット中に記憶されている情報によって識別されるユーザデバイスから、測定値を示す情報を受信するように構成されている、上記［１］の装置。
［３］
前記受信機は、前記第２の送信機と通信しているユーザデバイスから、測定値を示す情報を受信するように構成されている、上記［１］の装置。
［４］
前記受信機は、第３の送信機から、測定値を示す情報を受信するように構成されており、前記第３の送信機は、クローズド加入者グループまたはクローズドユーザグループに関係付けられている、上記［１］の装置。
［５］
前記測定値は、前記第１の信号のパス損失を含む、上記［１］の装置。
［６］
前記電力調整ユニットは、前記第１の信号が最小の距離内で信頼可能に受信されなかったことを前記受信情報が示すときに、前記第１の電力を増加させるように構成されている、上記［５］の装置。
［７］
前記電力決定ユニットは、前記第１の信号が前記最小の距離内で信頼可能に受信されなかったことを示している情報を、前記受信機が受信する度に、前記電力を予め定められた量だけ増加させるように構成されている、上記［６］の装置。
［８］
前記電力調整ユニットは、前記第１の信号が最大の距離より遠い距離において信頼可能に受信されていることを、前記受信情報が示すときに、前記第１の電力を減少させるように構成されている、上記［５］の装置。
［９］
前記第１の信号が信頼可能に受信される距離を決定するように構成されているマッピングユニットをさらに具備し、前記決定は少なくとも前記受信情報に基づいており、前記電力調整ユニットは、前記距離と、所望の距離との間の差に比例して、前記第１の電力を調整するように構成されている、上記［５］の装置。
［１０］
前記測定値は、前記第１の信号の受信信号コード電力を含む、上記［１］の装置。
［１１］
前記電力調整ユニットは、前記受信信号コード電力と、所望の受信電力との間の差に比例して、前記第１の電力を調整するように構成されている、上記［１０］の装置。
［１２］
前記電力調整ユニットは、前記受信メッセージが、選択されたユーザデバイスが、前記第１の信号を不十分な電力で受信していること、または、規定されたしきい値を超える干渉レートを経験していることを示すとき、前記第１の電力を一時的に増加させるように構成されている、上記［１］の装置。
［１３］
前記受信機は第２の情報を受信するように構成されており、前記第２の情報は、前記第１の電力が調整された後の、前記第１の信号の受信から導出された測定値を示しており、前記電力調整ユニットは、前記第２の情報が、前記選択されたユーザデバイスが、前記第１の信号を不十分な電力で受信しなくなったこと、または、前記規定されたしきい値を超える干渉レートを経験しなくなったことを示すとき、前記第１の電力を減少させるように構成されている、上記［１２］の装置。
［１４］
前記電力調整ユニットは、前記受信メッセージが、選択されたユーザデバイスが規定されたしきい値を超える干渉レートを経験していることを示すとき、前記第１の電力を一時的に減少させるように構成されており、前記電力調整ユニットは、前記選択されたユーザデバイスが、規定されたしきい値を超える干渉レートを経験しなくなったとき、前記第１の電力を増加させるように構成されている、上記［１］の装置。
［１５］
前記第１の電力はデフォルト送信電力を含み、前記第１の電力が調整された後、前記電力調整ユニットは、最小期間の後まで、前記第１の電力のさらなる調整を遅らせるように構成されている、上記［１］の装置。
［１６］
前記登録ユニット中に記憶されている情報によって識別されないデバイスの数、および、選択された期間の間に、規定されたしきい値を超える干渉レートを経験したデバイスの数をカウントするように構成されているプロセッサをさらに具備する、上記［１］の装置。
［１７］
前記電力調整ユニットは、前記カウントに少なくとも部分的に基づいて、前記第１の電力を調整するように構成されている、上記［１６］の装置。
［１８］
前記第１の送信機は、前記測定値を示す情報に対する要求を送信するようにさらに構成されている、上記［１］の装置。
［１９］
前記第１の信号はパイロット信号を含む、上記［１］の装置。
［２０］
ワイヤレス通信の方法において、
第１の電力を有する第１の信号を、第１の受信領域に対して、ワイヤレスに送信することと、
前記第１の信号の受信から導出された測定値を示す情報を、第１のロケーション中でワイヤレスに受信することと、
前記受信された情報に少なくとも部分的に基づいて、前記第１の電力を調整することと
を含み、
前記第１のロケーションは、第２の受信領域内にあり、第２の信号は、第２の送信機から、前記第２の受信領域中の１つ以上のユーザデバイスに対してワイヤレスに送信され、前記第２の受信領域は、前記第１の受信領域より実質的に大きい方法。
［２１］
前記受信は、登録ユニット中に記憶されている情報によって識別されるユーザデバイスから、測定値を示す情報を受信することを含む、上記［２０］の方法。
［２２］
前記受信は、前記第２の送信機と通信しているユーザデバイスから、測定値を示す情報を受信することを含む、上記［２０］の方法。
［２３］
前記受信は、第３の送信機から、測定値を示す情報を受信することを含み、前記第３の送信機は、クローズド加入者グループまたはクローズドユーザグループに関係付けられている、上記［２０］の方法。
［２４］
前記測定値は、前記第１の信号のパス損失を含む、上記［２０］の方法。
［２５］
前記第１の信号が最小の距離内で信頼可能に受信されなかったことを、前記受信情報が示すときに、前記第１の電力を調整することを含む、上記［２４］の方法。
［２６］
前記調整は、前記第１の信号が前記最小の距離内で信頼可能に受信されなかったことを示している情報を、受信機が受信する度に、前記電力を予め定められた量だけ増加させることを含む、上記［２５］の方法。
［２７］
前記調整は、前記第１の信号が最大の距離より遠い距離において信頼可能に受信されていることを、前記受信情報が示すときに、前記第１の電力を減少させることを含む、上記［２４］の方法。
［２８］
前記第１の信号が信頼可能に受信される距離を決定することをさらに含み、前記決定は少なくとも前記受信情報に基づいており、前記調整は、前記距離と、所望の距離との間の差に比例して、前記第１の電力を調整することを含む、上記［２４］の方法。
［２９］
前記測定値は、前記第１の信号の受信信号コード電力を含む、上記［２０］の方法。
［３０］
前記調整は、前記受信信号コード電力と、所望の受信電力との間の差に比例して、前記第１の電力を調整することを含む、上記［２９］の方法。
［３１］
前記調整は、前記受信メッセージが、選択されたユーザデバイスが、前記第１の信号を不十分な電力で受信していること、または、規定されたしきい値を超える干渉レートを経験していることを示すとき、前記第１の電力を一時的に増加させることを含む、上記［２０］の方法。
［３２］
第２の情報を受信することをさらに含み、前記第２の情報は、前記第１の電力が調整された後の、前記第１の信号の受信から導出された測定値を示しており、前記第２の情報が、前記選択されたユーザデバイスが、前記第１の信号を不十分な電力で受信しなくなったこと、または、前記規定されたしきい値を超える干渉レートを経験しなくなったことを示すとき、前記第１の電力を減少させることをさらに含む、上記［３１］の方法。
［３３］
前記調整は、前記受信メッセージが、選択されたユーザデバイスが規定されたしきい値を超える干渉レートを経験していることを示すとき、前記第１の電力を一時的に減少させることを含み、前記選択されたユーザデバイスが、前記規定されたしきい値を超える干渉レートを経験しなくなったとき、前記第１の電力を増加させることをさらに含む、上記［２０］の方法。
［３４］
前記第１の電力はデフォルト送信電力を含み、前記第１の電力が調整された後、前記方法は、最小期間の後まで、前記第１の電力のさらなる調整を遅らせることをさらに含む、上記［２０］の方法。
［３５］
前記登録ユニット中に記憶されている情報によって識別されないデバイスの数、および、選択された期間の間に、規定されたしきい値を超える干渉レートを経験したデバイスの数をカウントすることをさらに含む、上記［２０］の方法。
［３６］
前記調整は、前記カウントに少なくとも部分的に基づいて、前記第１の電力を調整することを含む、上記［３５］の方法。
［３７］
前記測定値を示す情報に対する要求を送信することをさらに含む、上記［２０］の方法。
［３８］
前記第１の信号はパイロット信号を含む、上記［２０］の方法。
［３９］
ワイヤレス通信のための装置において、
第１の電力を有する第１の信号を、第１の受信領域に対して、ワイヤレスに送信する手段と、
前記第１の信号の受信から導出された測定値を示す情報を、第１のロケーション中でワイヤレスに受信する手段と、
前記受信された情報に少なくとも部分的に基づいて、前記第１の電力を調整する手段と
を具備し、
前記第１のロケーションは、第２の受信領域内にあり、第２の信号は、第２の送信機から、前記第２の受信領域中の１つ以上のユーザデバイスに対してワイヤレスに送信され、前記第２の受信領域は、前記第１の受信領域より実質的に大きい装置。
［４０］
コンピュータ読取可能媒体を有するコンピュータプログラム製品において、
前記コンピュータ読取可能媒体は、
コンピュータに、第１の電力を有する第１の信号を、第１の受信領域に対して、ワイヤレスに送信させるためのコードと、
前記コンピュータに、前記第１の信号の受信から導出された測定値を示す情報を、第１のロケーション中でワイヤレスに受信させるためのコード、
前記コンピュータに、前記受信された情報に少なくとも部分的に基づいて、前記第１の電力を調整させるためのコードと
を含み、
前記第１のロケーションは、第２の受信領域内にあり、第２の信号は、第２の送信機から、前記第２の受信領域中の１つ以上のユーザデバイスに対してワイヤレスに送信され、前記第２の受信領域は、前記第１の受信領域より実質的に大きいコンピュータプログラム製品。
［４１］
ワイヤレス通信のための装置において、
信号の受信から導出された測定値を示す情報を受信するように構成されている受信機と、
第１の送信デバイスに対して、通信をワイヤレスに送信するように構成されている送信機と、
を具備し、
前記通信は、前記受信された情報の少なくとも一部、または、前記受信された情報から少なくとも部分的に導出された情報を含み、
前記第１の送信デバイスは、第１の受信領域に対して、第１の信号をワイヤレスに送信するように構成されており、前記第１の送信デバイスは、第２の受信領域内に位置しており、第２の信号は、第２の送信デバイスから、前記第２の受信領域中の１つ以上のユーザデバイスに対してワイヤレスに送信され、前記第２の受信領域は、前記第１の受信領域より実質的に大きい装置。
［４２］
前記情報は、前記第１の送信デバイスからの信号の受信から導出された測定値を示しており、前記第１の送信デバイスはホームノードＢを含む、上記［４１］の装置。
［４３］
前記情報は、前記第２の送信デバイスからの信号の受信から導出された測定値を示しており、前記第２の送信デバイスはマクロノードＢを含む、上記［４１］の装置。
［４４］
１つ以上のユーザデバイスを識別する情報を記憶するように構成されている登録ユニットをさらに具備し、
前記登録ユニット中で識別されるユーザデバイスだけが、前記受信機を介して、および、前記送信機を介して、他のユーザデバイスと通信することを許可される、上記［４１］の装置。
［４５］
前記装置はホームノードＢを含み、前記受信機は、マクロノードＢから、測定値を示す情報を受信するように構成されている、上記［４４］の装置。
［４６］
前記装置はホームノードＢを含み、前記受信機は、前記登録ユニット中に記憶されている情報によって識別されるユーザデバイスからの情報を受信するように構成されている、上記［４４］の装置。
［４７］
前記受信機は、前記第１の受信エリア中のワイヤレスユーザデバイスから、測定値を示す情報を受信するように構成されている、上記［４１］の装置。
［４８］
前記測定値は、チップ毎エネルギー対総受信電力スペクトル深度を含む、上記［４１］の装置。
［４９］
前記信号はパイロット信号を含む、上記［４１］の装置。
［５０］
ワイヤレス通信の方法において、
信号の受信から導出された測定値を示す情報を受信することと、
フェムトノードに対して、通信をワイヤレスに送信することと、
を含み、
前記通信は、前記受信された情報の少なくとも一部、または、前記受信された情報から少なくとも部分的に導出された情報を含む方法。
［５１］
前記情報は、前記フェムトノードによって送信された信号の受信から導出された測定値を示す、上記［５０］の方法。
［５２］
前記情報は、受信領域中の１つ以上のユーザデバイスに対して信号をワイヤレスに送信するように構成されているマクロノードによって送信された信号の受信から導出された測定値を示し、前記フェムトノードは、前記受信領域内に位置している、上記［５０］の方法。
［５３］
ワイヤレス通信のための装置において、
信号の受信から導出された測定値を示す情報を受信する手段と、
フェムトノードに対して、通信をワイヤレスに送信する手段と、
を具備し、
前記通信は、前記受信された情報の少なくとも一部、または、前記受信された情報から少なくとも部分的に導出された情報を含む装置。
［５４］
コンピュータ読取可能媒体を有するコンピュータプログラム製品において、
前記コンピュータ読取可能媒体は、
コンピュータに、信号の受信から導出された測定値を示す情報を受信させるためのコードと、
前記コンピュータに、フェムトノードに対して、通信をワイヤレスに送信させるためのコードと、
を含み、
前記通信は、前記受信された情報の少なくとも一部、または、前記受信された情報から少なくとも部分的に導出された情報を含むコンピュータプログラム製品。
［５５］
フェムトノードにおいて、
送信デバイスから送信された信号を受信するように構成されている受信機と、
前記受信された信号に少なくとも部分的に基づいて、測定値を決定するように構成されている決定ユニットと、
隣接フェムトノードに対して、前記測定値を示す情報を含む通信をワイヤレスに送信するように構成されている送信機と
を具備するフェムトノード。
［５６］
前記送信デバイスは前記隣接フェムトノードを含む、上記［５５］の装置。
［５７］
前記送信デバイスはマクロノードを含む、上記［５５］の装置。
［５８］
前記受信機は、前記測定値を示す情報に対する要求を受信するように構成されており、前記送信機は、前記要求に応答して、前記通信を送信するように構成されている、上記［５５］の装置。
［５９］
前記信号はパイロット信号を含み、前記受信機は、共通パイロットチャネルを通して前記パイロット信号を受信するように構成されている、上記［５５］の装置。
［６０］
前記測定値は、前記パイロット信号のＥc／Ｉoを含む、上記［５９］の装置。
［６１］
前記測定値は、前記パイロット信号の受信信号コード電力を含む、上記［５９］の装置。
［６２］
フェムトノードを使用して通信するための方法において、
送信デバイスから送信された信号を受信することと、
前記受信された信号に少なくとも部分的に基づいて、測定値を決定することと、
隣接フェムトノードに対して、前記測定値を示す情報を含む通信をワイヤレスに送信することと
を含む方法。
［６３］
前記送信デバイスは前記隣接フェムトノードを含む、上記［６２］の方法。
［６４］
前記送信デバイスはマクロノードを含む、上記［６２］の方法。
［６５］
フェムトノードにおいて、
送信デバイスから送信された信号を受信する手段と、
前記受信された信号に少なくとも部分的に基づいて、測定値を決定する手段と、
隣接フェムトノードに対して、前記測定値を示す情報を含む通信をワイヤレスに送信する手段と
を具備するフェムトノード。
［６６］
コンピュータ読取可能媒体を有するコンピュータプログラム製品において、
前記コンピュータ読取可能媒体は、
フェムトノードに、送信デバイスから送信された信号を受信させるためのコードと、
前記フェムトノードに、前記受信された信号に少なくとも部分的に基づいて、測定値を決定させるためのコードと、
前記フェムトノードに、隣接フェムトノードに対して、前記測定値を示す情報を含む通信をワイヤレスに送信させるためのコードと
を含むコンピュータプログラム製品。
【図１】
0005373189.tif 000003
【図２】
0005373189.tif 000004
【図３】
0005373189.tif 000005
【図４】
0005373189.tif 000006
【図５】
0005373189.tif 000007
【図６】
0005373189.tif 000008
【図７】
0005373189.tif 000009
【図８】
0005373189.tif 000010
【図９】
0005373189.tif 000011
【図１０】
0005373189.tif 000012
【図１１】
0005373189.tif 000013
【図１２】
0005373189.tif 000014
【図１３】
0005373189.tif 000015